(57)【要約】【課題】試験経験が未熟な作業者に、試料を試験槽に適切に配置させる。【解決手段】試料７を配置可能な試験槽を備え、前記試験槽内の環境を所定の試験条件に応じて調整して試料７に対して試験を行う試験器５に対する作業を支援する試験作業支援システム１００であって、前記試料７を、自身の識別子を示す試料識別情報Ｄ７が付加された状態で取り扱うものであって、カメラ４１と表示部４３とを備えた携帯端末４と、前記試料７の識別子と前記試験槽への前記試料７の配置に関する配置関連情報とを予め対応付けて記憶する記憶部１４と、前記試料識別情報Ｄ７が前記カメラ４１の撮影画像に含まれている場合、前記記憶部１４において前記試料識別情報Ｄ７が示す前記試料７の識別子に対応付けられている前記配置関連情報を、前記表示部４３の表示領域に表示する試験制御部４０、１０と、を備える。【選択図】図２
2020038463.tif 000002
【特許請求の範囲】
【請求項１】
試料を配置可能な試験槽を備え、前記試験槽内の環境を所定の試験条件に応じて調整して前記試料に対して試験を行う試験器に対する作業を支援する試験作業支援システムであって、
前記試料を、自身の識別子を示す試料識別情報が付加された状態で取り扱うものであって、
カメラと表示部とを備えた携帯端末と、
前記試料の識別子と前記試料に対する試験を行う前記試験器である対象試験器が備える前記試験槽である対象試験槽への試料の配置に関する配置関連情報とを予め対応付けて記憶する記憶部と、
前記試料識別情報が前記カメラの撮影画像に含まれている場合、前記記憶部において前記試料識別情報が示す前記試料の識別子に対応付けられている前記配置関連情報を、前記表示部の表示領域に表示する試験制御部と、
を備える試験作業支援システム。
【請求項２】
一以上の前記試験器に対する作業を支援するものであって、
前記配置関連情報は、前記対象試験器を識別するための識別情報と、前記対象試験槽内における前記試料を配置する領域を示す配置領域情報と、を含む
請求項１に記載の試験作業支援システム。
【請求項３】
前記試験器を、外面に自身の識別子を示す試験器識別情報が付加された状態で取り扱うものであって、
前記記憶部は、更に、前記試験器の識別子と当該試験器に関する試験器情報とを予め対応付けて記憶し、
前記試験制御部は、前記対象試験器の識別子を示す前記試験器識別情報が前記撮影画像に含まれている場合、前記対象試験器が前記撮影画像において配置されている領域に対応する前記表示領域内の領域と対応付けるようにして、前記記憶部において前記対象試験器の識別子に対応付けられている前記試験器情報を表示する
請求項２に記載の試験作業支援システム。
【請求項４】
前記試験槽の開閉扉が開かれた状態において視認可能な位置に、前記試験槽の識別子を示す試験槽識別情報が付加された状態で、前記試験器を取り扱うものであって、
前記試験制御部は、前記対象試験槽の識別子を示す前記試験槽識別情報が前記撮影画像に含まれている場合、前記配置領域情報が示す領域が前記撮影画像において配置されている領域に対応する前記表示領域内の領域を強調して表示する
請求項２又は３に記載の試験作業支援システム。
【請求項５】
前記試験制御部は、更に、前記表示領域に前記撮影画像を背景画像として表示する
請求項４に記載の試験作業支援システム。
【請求項６】
前記配置関連情報は、前記対象試験槽内に前記試料を配置したときに前記試料が向く方向を示す配置方向情報を含む
請求項１から５の何れか一項に記載の試験作業支援システム。
【請求項７】
前記配置関連情報は、前記試料を配置する方法を示す配置方法情報を含む
請求項１から６の何れか一項に記載の試験作業支援システム。
【請求項８】
前記配置関連情報は、前記試験に必要な器具を前記試料に取り付ける方法を示す器具取付情報を含む
請求項１から７の何れか一項に記載の試験作業支援システム。
【請求項９】
音声を集音する遠隔マイクと、画像を表示する遠隔表示部と、前記携帯端末との間で通信を行う遠隔通信部と、を備えた情報処理装置を更に備え、
前記携帯端末は、音声を集音するマイクと、前記試料の配置に関連する作業の支援を要求する支援要求指示の入力操作を行うための操作部と、前記情報処理装置との間で通信を行う通信部と、を更に備え、
前記試験制御部は、前記操作部によって前記支援要求指示が入力された場合、前記カメラの撮影画像を前記遠隔表示部に表示させ、前記通信部及び前記遠隔通信部に前記マイク及び前記遠隔マイクで集音された音声を互いに通信させる
請求項１から８の何れか一項に記載の試験作業支援システム。
【請求項１０】
前記情報処理装置は、前記遠隔表示部に表示されている前記撮影画像に対する描画操作を行うための遠隔操作部を更に備え、
前記試験制御部は、前記遠隔操作部によって前記描画操作が行われた場合、当該描画操作によって前記撮影画像に対して描画された描画画像を前記表示領域に表示させる
請求項９に記載の試験作業支援システム。
【請求項１１】
前記携帯端末は、前記試験の開始指示の入力操作を行うための操作部を更に備え、
前記記憶部は、更に、前記対象試験器の識別子と前記対象試験器の前記試験槽内に配置された全ての試料のそれぞれに対する前記試験の進捗状況を示す試験進捗情報とを対応付けて記憶可能であり、
前記試験制御部は、前記対象試験槽内に前記試料が配置された後、前記操作部を用いて前記開始指示の入力操作が行われた場合、前記対象試験器に前記試験を開始させた後、前記記憶部において前記対象試験器の識別子と対応付けられている前記試験進捗情報を前記表示領域に表示する
請求項１から１０の何れか一項に記載の試験作業支援システム。
【請求項１２】
前記記憶部は、更に、前記対象試験器の識別子と前記対象試験器の運転状態を示す運転情報とを対応付けて記憶可能であり、
前記試験制御部は、
前記対象試験槽内に配置された試料に対する前記試験の開始後、前記対象試験器の識別子を示す試験器識別情報が前記撮影画像に含まれている場合、前記記憶部において前記対象試験器の識別子と対応付けられている前記運転情報を、前記表示領域に表示する
請求項１から１１の何れか一項に記載の試験作業支援システム。
【請求項１３】
前記記憶部は、更に、前記対象試験器の識別子と前記対象試験器において実行可能な試験に関する試験情報とを予め対応付けて記憶し、
前記操作部は、更に、前記表示領域に表示されている前記試験進捗情報の中から一の試料に対応する情報の選択操作が可能であり、
前記試験制御部は、
前記操作部を用いて前記選択操作が行われた場合、前記記憶部において前記対象試験器の識別子と対応付けられている前記試験情報に含まれる前記一の試料に対応する情報を、前記表示領域に表示する
請求項１１に記載の試験作業支援システム。
【請求項１４】
試料を配置可能な試験槽を備え、前記試験槽内の環境を所定の試験条件に応じて調整して前記試料に対して試験を行う試験器に対する作業を支援する情報処理装置としてコンピュータを機能させるプログラムであって、
前記コンピュータを、
前記試料の識別子を示す試料識別情報がカメラの撮影画像に含まれている場合、前記試料の識別子と前記試料に対する試験を行う前記試験器が備える前記試験槽への試料の配置に関する配置関連情報とを予め対応付けた情報において、前記試料識別情報が示す前記試料の識別子に対応付けられている前記配置関連情報を、表示部の表示領域に表示させるように機能させる
プログラム。
【発明の詳細な説明】
【技術分野】
【０００１】
本発明は、試験器を備えた試験作業支援システム及びプログラムに関する。
【背景技術】
【０００２】
従来から、試料を収容可能な試験槽を備え、試験槽に試料を配置後、試験槽内の環境を所定の試験条件に応じて調整する試験を行う試験器が知られている。また、近年、実空間を撮影した画像に、文字列等を示す画像を重畳して表示する所謂ＡＲ（Ａｕｇｍｅｎｔｅｄ  Ｒｅａｌｉｔｙ）技術が知られている。
【０００３】
例えば、特許文献１には、環境形成装置の運転中、カメラの撮影画像に識別画像が含まれた場合、当該識別画像が示す識別子と対応付けて管理されている環境形成装置の運転状態や試料の状態を、作業者が装着するスマートグラスに表示することが記載されている。
【先行技術文献】
【特許文献】
【０００４】
【特許文献１】特開２０１８−８２３３８号公報
【発明の概要】
【発明が解決しようとする課題】
【０００５】
上記環境形成装置等の試験器に試験を実行させる作業の経験が未熟な作業者は、当該作業の開始前に試験槽内に試料を配置するときに、試料を試験条件に応じた環境に適切に晒すことができないような位置に、試料を配置する虞がある。この場合、適切な試験結果が得られない虞がある。また、試験器における試験の開始後に、試験槽内の試料の配置位置を変更すると、試料を試験条件に応じた環境に十分に晒すことができず、適切な試験結果が得られない虞がある。このため、試験器に試験を実行させる作業においては、試験の開始前に、試験槽内に試料を適切に配置することが求められている。
【０００６】
しかし、上記特許文献１には、環境形成装置の運転開始前に、試料の配置に関する情報をスマートグラスに表示することについては開示されていない。
【０００７】
本発明は、上記事情に鑑みてなされた発明であり、試験経験が未熟な作業者に、試料を試験槽に適切に配置させることができる試験作業支援システムを提供することを目的とする。
【課題を解決するための手段】
【０００８】
本発明による試験作業支援システムは、試料を配置可能な試験槽を備え、前記試験槽内の環境を所定の試験条件に応じて調整して前記試料に対して試験を行う試験器に対する作業を支援する試験作業支援システムであって、前記試料を、自身の識別子を示す試料識別情報が付加された状態で取り扱うものであって、カメラと表示部とを備えた携帯端末と、前記試料の識別子と前記試料に対する試験を行う前記試験器である対象試験器が備える前記試験槽である対象試験槽への試料の配置に関する配置関連情報とを予め対応付けて記憶する記憶部と、前記試料識別情報が前記カメラの撮影画像に含まれている場合、前記記憶部において前記試料識別情報が示す前記試料の識別子に対応付けられている前記配置関連情報を、前記表示部の表示領域に表示する試験制御部と、を備える。
【０００９】
本構成によれば、作業者が携帯端末を携帯し、試料の識別子を示す試料識別情報がカメラの撮影画像に含まれるようになると、携帯端末の表示部の表示領域に、試験槽への試料の配置に関する配置関連情報が表示される。このため、作業者は、試験の経験が未熟であっても、配置関連情報に基づき、試料を試験槽に適切に配置することができる。
【００１０】
また、一以上の前記試験器に対する作業を支援するものであって、前記配置関連情報は、前記対象試験器を識別するための識別情報と、前記対象試験槽内における前記試料を配置する領域を示す配置領域情報と、を含んでもよい。
【００１１】
本構成によれば、作業者は、試験の経験が未熟であっても、携帯端末の表示部の表示領域に表示された前記識別情報と前記配置領域情報に基づき、試料に対する試験を行う対象試験器を適切に把握することができ、且つ、当該対象試験器の試験槽内の所定の領域に適切に試料を配置することができる。
【００１２】
また、前記試験器を、外面に自身の識別子を示す試験器識別情報が付加された状態で取り扱うものであって、前記記憶部は、更に、前記試験器の識別子と当該試験器に関する試験器情報とを予め対応付けて記憶し、前記試験制御部は、前記対象試験器の識別子を示す前記試験器識別情報が前記撮影画像に含まれている場合、前記対象試験器が前記撮影画像において配置されている領域に対応する前記表示領域内の領域と対応付けるようにして、前記記憶部において前記対象試験器の識別子に対応付けられている前記試験器情報を表示してもよい。
【００１３】
作業者が、対象試験器が配置された室内を移動しているときに、対象試験器の識別子を示す試験器識別情報がカメラの撮影画像に含まれるようになったとする。この場合、本構成によれば、前記撮影画像において対象試験器が配置されている領域に対応する前記表示領域内の領域と対応付けるようにして、記憶部において対象試験器の識別子に対応付けられている試験器情報が表示される。
【００１４】
このため、当該作業者は、対象試験器に関する情報及び対象試験器の配置場所を知らなかった場合でも、前記表示領域に表示された試験器情報に基づき、対象試験器に関する情報を容易に把握することができる。また、当該作業者は、前記表示領域において前記試験器情報が表示されている位置に基づき、対象試験器の配置場所を容易に把握することができる。
【００１５】
また、前記試験槽の開閉扉が開かれた状態において視認可能な位置に、前記試験槽の識別子を示す試験槽識別情報が付加された状態で、前記試験器を取り扱うものであって、前記試験制御部は、前記対象試験槽の識別子を示す前記試験槽識別情報が前記撮影画像に含まれている場合、前記配置領域情報が示す領域が前記撮影画像において配置されている領域に対応する前記表示領域内の領域を強調して表示してもよい。
【００１６】
作業者が、対象試験器の対象試験槽を開閉する開閉扉を開き、携帯端末のカメラで対象試験槽内を撮影したことにより、対象試験槽の識別子を示す試験槽識別情報がカメラの撮影画像に含まれるようになったとする。この場合、本構成によれば、配置領域情報が示す領域が前記撮影画像において配置されている領域に対応する前記表示領域内の領域が強調して表示される。
【００１７】
このため、当該作業者は、試験槽への試料の配置経験が未熟であっても、前記表示領域において強調して表示されている領域に基づき、対象試験槽内における配置領域情報が示す領域に試料を容易に配置することができる。
【００１８】
また、前記試験制御部は、更に、前記表示領域に前記撮影画像を背景画像として表示してもよい。
【００１９】
作業者が、対象試験器の対象試験槽を開閉する開閉扉を開き、携帯端末のカメラで対象試験槽内を撮影したことにより、対象試験槽の識別子を示す試験槽識別情報がカメラの撮影画像に含まれるようになったとする。この場合、本構成によれば、前記表示領域に表示された背景画像に含まれる配置領域情報が示す領域が強調して表示される。
【００２０】
このため、当該作業者は、試験槽への試料の配置経験が未熟であっても、前記表示領域において強調して表示されている領域に基づき、対象試験槽内における配置領域情報が示す領域に試料を容易に配置することができる。
【００２１】
また、前記配置関連情報は、前記対象試験槽内に前記試料を配置したときに前記試料が向く方向を示す配置方向情報を含んでもよい。
【００２２】
本構成によれば、作業者は、試験槽への試料の配置経験が未熟であっても、携帯端末の表示部の表示領域に表示された配置方向情報が示す方向に試料が向くようにして、対象試験槽内に試料を適切に配置することができる。
【００２３】
また、前記配置関連情報は、前記試料を配置する方法を示す配置方法情報を含んでもよい。
【００２４】
本構成によれば、作業者は、試験槽への試料の配置経験が未熟であっても、携帯端末の表示部の表示領域に表示された配置方法情報が示す方法に従って、対象試験槽内に試料を適切な方法で配置することができる。
【００２５】
また、前記配置関連情報は、前記試験に必要な器具を前記試料に取り付ける方法を示す器具取付情報を含んでもよい。
【００２６】
本構成によれば、作業者は、試験に必要な器具を試料に取り付ける経験が未熟であっても、携帯端末の表示部の表示領域に表示された器具取付情報が示す方法に従って、試験に必要な器具を、対象試験槽内に配置した試料に適切に取り付けることができる。
【００２７】
また、上記構成の試験作業支援システムは、音声を集音する遠隔マイクと、画像を表示する遠隔表示部と、前記携帯端末との間で通信を行う遠隔通信部と、を備えた情報処理装置を更に備え、前記携帯端末は、音声を集音するマイクと、前記試料の配置に関連する作業の支援を要求する支援要求指示の入力操作を行うための操作部と、前記情報処理装置との間で通信を行う通信部と、を更に備え、前記試験制御部は、前記操作部によって前記支援要求指示が入力された場合、前記カメラの撮影画像を前記遠隔表示部に表示させ、前記通信部及び前記遠隔通信部に前記マイク及び前記遠隔マイクで集音された音声を互いに通信させてもよい。
【００２８】
本構成によれば、試験の経験が豊富な作業支援者は、情報処理装置の遠隔表示部において、携帯端末のカメラの撮影画像と同じ画像を視認しながら、携帯端末を携帯している作業者と会話を行うことができる。このため、前記作業者は、試験の経験が未熟であっても、前記作業支援者から試料の配置に関連する作業の支援を容易に受けることができる。
【００２９】
また、上記構成において、前記情報処理装置は、前記遠隔表示部に表示されている前記撮影画像に対する描画操作を行うための遠隔操作部を更に備え、前記試験制御部は、前記遠隔操作部によって前記描画操作が行われた場合、当該描画操作によって前記撮影画像に対して描画された描画画像を前記表示領域に表示させてもよい。
【００３０】
本構成によれば、試験の経験が豊富な作業支援者は、情報処理装置の遠隔表示部に表示されている携帯端末のカメラの撮影画像と同じ画像に対する描画操作を行い、当該描画操作によって描画された描画画像を携帯端末の表示部の表示領域に表示することができる。
【００３１】
このため、作業者は、試験の経験が未熟であっても、携帯端末の表示部の表示領域に表示された描画画像を視認しながら、前記作業支援者と音声通信を行うことができる。その結果、作業者は、前記作業支援者から試料の配置に関連する作業について、より詳細な支援を受けることができる。
【００３２】
また、前記携帯端末は、前記試験の開始指示の入力操作を行うための操作部を更に備え、前記記憶部は、更に、前記対象試験器の識別子と前記対象試験器の前記試験槽内に配置された全ての試料のそれぞれに対する前記試験の進捗状況を示す試験進捗情報とを対応付けて記憶可能であり、前記試験制御部は、前記対象試験槽内に前記試料が配置された後、前記操作部を用いて前記開始指示の入力操作が行われた場合、前記対象試験器に前記試験を開始させた後、前記記憶部において前記対象試験器の識別子と対応付けられている前記試験進捗情報を前記表示領域に表示してもよい。
【００３３】
本構成によれば、対象試験器によって試料に対する試験の実行が開始された後、対象試験槽に配置された全ての試料の夫々に対する試験の進捗状況が前記表示領域に表示される。このため、作業者は、対象試験槽内に配置された全ての試料の夫々に対する試験の進捗状況を容易に把握することができる。
【００３４】
また、前記記憶部は、更に、前記対象試験器の識別子と前記対象試験器の運転状態を示す運転情報とを対応付けて記憶可能であり、前記試験制御部は、前記対象試験槽内に配置された試料に対する前記試験の開始後、前記対象試験器の識別子を示す試験器識別情報が前記撮影画像に含まれている場合、前記記憶部において前記対象試験器の識別子と対応付けられている前記運転情報を、前記表示領域に表示してもよい。
【００３５】
本構成によれば、対象試験槽内に配置された試料に対する試験の開始後、対象試験器の識別子を示す試験器識別情報がカメラの撮影画像に含まれるようになった場合、当該対象試験器の運転状態を示す運転情報が前記表示領域に表示される。このため、作業者は、対象試験器の運転状態を容易に把握することができる。
【００３６】
また、前記記憶部は、更に、前記対象試験器の識別子と前記対象試験器において実行可能な試験に関する試験情報とを予め対応付けて記憶し、前記操作部は、更に、前記表示領域に表示されている前記試験進捗情報の中から一の試料に対応する情報の選択操作が可能であり、前記試験制御部は、前記操作部を用いて前記選択操作が行われた場合、前記記憶部において前記対象試験器の識別子と対応付けられている前記試験情報に含まれる前記一の試料に対応する情報を、前記表示領域に表示してもよい。
【００３７】
本構成によれば、作業者は、携帯端末の表示部の表示領域に表示されている試験進捗情報の中から、各試料に対する情報の選択操作を行うことで、各試料に対する試験に関する情報を個別に把握することができる。
【００３８】
また、本発明による試験作業支援システムは、試料を配置可能な試験槽を備え、前記試験槽内の環境を所定の試験条件に応じて調整して前記試料に対して試験を行う試験器に対する作業を支援する情報処理装置としてコンピュータを機能させるプログラムであって、前記コンピュータを、前記試料の識別子を示す試料識別情報がカメラの撮影画像に含まれている場合、前記試料の識別子と前記試料に対する試験を行う前記試験器が備える前記試験槽への試料の配置に関する配置関連情報とを予め対応付けた情報において、前記試料識別情報が示す前記試料の識別子に対応付けられている前記配置関連情報を、表示部の表示領域に表示させるように機能させる。
【００３９】
本構成によれば、試料の識別子を示す試料識別情報がカメラの撮影画像に含まれるようになると、表示部の表示領域に、試験槽への試料の配置に関する配置関連情報が表示される。このため、作業者は、試験の経験が未熟であっても、配置関連情報に基づき、試料を試験槽に適切に配置することができる。
【発明の効果】
【００４０】
本発明によれば、試験経験が未熟な作業者に、試料を試験槽に適切に配置させることができる試験作業支援システムを提供することができる。
【図面の簡単な説明】
【００４１】
【図１】試験作業支援システムの全体像の一例を示す図である。
【図２】試験作業支援システムの詳細構成の一例を示すブロック図である。
【図３】試験器テーブルの一例を示す図である。
【図４】試験器情報に含まれる槽内配置図及び配置図の一例を示す図である。
【図５】試験パターンテーブルの一例を示す図である。
【図６】試料テーブルの一例を示す図である。
【図７】試験テーブルの一例を示す図である。
【図８】試料配置テーブルの一例を示す図である。
【図９】試験器モニタテーブルの一例を示す図である。
【図１０】試料モニタテーブルの一例を示す図である。
【図１１】試験開始前の試験作業支援システムの動作の一例を示すフローチャートである。
【図１２】試料関連情報の表示例を示す図である。
【図１３】試験器情報の表示例を示す図である。
【図１４】配置領域の強調表示例を示す図である。
【図１５】試料の配置に関連する作業の支援例を示す図である。
【図１６】試験開始以降の試験作業支援システムの動作の一例を示すフローチャートである。
【図１７】試験関連情報の表示例を示す図である。
【図１８】運転関連情報、試験関連情報及び試験器関連情報の表示例を示す図である。
【図１９】選択された試験の試験情報の表示例を示す図である。
【図２０】試験終了時の試験作業支援システムの動作の一例を示すフローチャートである。
【図２１】試験終了時の試験作業支援システムの動作の変形例を示すフローチャートである。
【発明を実施するための形態】
【００４２】
（第一実施形態）
以下、本発明に係る試験作業支援システムの第一実施形態について説明する。図１は、試験作業支援システム１００の全体像の一例を示す図である。図１に示すように、試験作業支援システム１００は、スマートグラス４（携帯端末）と、オフィスの執務室等に配置された情報処理装置３と、これらとＬＡＮ（Ｌｏｃａｌ  Ａｒｅａ  Ｎｅｔｗｏｒｋ）やインターネット等のネットワーク９を介して通信を行うサーバ１と、を備える。サーバ１は、更に、一以上の各試験室２に配置された一以上の試験器５及び計測器６とネットワーク９を介して通信可能に接続されている。
【００４３】
試験器５は、一以上の試料７（図１２参照）を配置可能な試験槽と、試験槽を開閉する開閉扉５１と、を備えている。試験器５は、試料７が試験槽内に配置された後、試験槽内の環境を所定の試験条件に応じて調整する試験を実行する。例えば、試料７には、スマートフォン等の電気機器、制御基板及び電子部品等が含まれる。試験槽内の環境には、試験槽内の空気の温度、湿度及び圧力や、試験槽内の試料７に与えられる振動、試料７の周囲に降らせる人工的な雨や雪等が含まれる。
【００４４】
試験器５は、試験槽内の空気の温度及び湿度を定期的に測定する不図示の計測器を備える。試験器５は、試験の開始後、当該計測器による試験槽内の空気の温度及び湿度の各測定結果を、定期的にネットワーク９を介してサーバ１に送信する。
【００４５】
試験器５の外面には、自身の識別子を示す試験器マーカ（試験器識別情報）Ｄ５が貼付又は印刷等（付加）されている。試験器マーカＤ５は、例えば、バーコード、二次元バーコード又は識別子の文字列等によって構成されている。尚、試験槽内に配置される試料７にも、試験器５と同様に、自身の識別子を示す試料マーカ（試料識別情報）Ｄ７が貼付又は印刷等（付加）されている（図１２参照）。また、試験槽における開閉扉５１が開かれた状態において視認可能な位置にも、試験器５と同様、当該試験槽の識別子を示す試験槽マーカ（試験槽識別情報）Ｄ５２が貼付又は印刷等（付加）されている（図１４参照）。
【００４６】
計測器６は、各試験室２へ持ち運ぶことが可能である。計測器６には、各試験器５の試験槽内に収容された試料７の表面温度、試料７に流れる電流、及び試料７に印加される電圧を測定するもの等が含まれる。
【００４７】
具体的には、作業者によって、試験槽内の試料７に熱電対や信号線が取り付けられ、当該取り付けられた熱電対や信号線が試験槽の壁部等に設けられた孔を介して計測器６に接続される。そして、作業者によって当該試料７の識別子が計測器６に入力される。これにより、測定の準備が整うと、計測器６は、当該試料７における熱電対の取り付け箇所の表面温度や、当該試料７における信号線の取り付け箇所に流れる電流又は電圧の測定を開始する。計測器６は、定期的に前記測定を行い、各測定結果を作業者によって入力された測定対象の試料７の識別子と共にネットワーク９を介してサーバ１へ送信する。
【００４８】
スマートグラス４は、作業者の頭部に装着可能に構成されている。図２は、試験作業支援システム１００の詳細構成の一例を示すブロック図である。図２に示すように、スマートグラス４は、カメラ４１、マイク４２、スクリーン４３（表示部）、スピーカ４６、操作部４４、通信部４５及び制御部４０（試験制御部）を備えている。
【００４９】
カメラ４１は、スマートグラス４を装着した作業者の視線と同じ方向を撮影方向とし、当該作業者が見ている実空間の画像と略同じ画像を撮影する。尚、カメラ４１の撮像画像には、動画の他、静止画が含まれる。マイク４２は、当該作業者が発話した音声を集音する。スピーカ４６は、制御部４０による制御の下、指示された音声を出力する。
【００５０】
スクリーン４３は、所謂透過型スクリーンであり、画像を表示可能な略透明の表示領域を有する。スクリーン４３は、サーバ１からネットワーク９を介して受信した画像を当該表示領域に表示する。これにより、スマートグラス４を装着した作業者は、スクリーン４３の表示領域を介して見ている実空間の画像に、当該表示領域に表示された画像が重畳されたような画像を視認することができる。
【００５１】
操作部４４は、スクリーン４３に操作画面やソフトウェアキーボードを表示させるための操作ボタン、スクリーン４３に表示されたカーソル（ポインター）を移動させる操作ボタン、及び、カーソルによって指示されている操作画面内の各ソフトキーを押下するための操作ボタン等の操作ボタンを備えている。操作部４４は、各操作ボタンを用いて行われた操作に対応付けられた指示や、各操作ボタンを用いて入力された情報を制御部４０に出力する。
【００５２】
通信部４５は、スマートグラス４がネットワーク９（図１）を介して、サーバ１と通信するための通信インターフェイス回路によって構成されている。通信部４５は、制御部４０による制御の下、サーバ１との間で通信を行う。また、通信部４５は、制御部４０による制御の下、サーバ１を介して情報処理装置３との間で通信を行う。
【００５３】
制御部４０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性メモリー、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリー、現在時刻を計時するタイマー回路等を備えたマイクロコンピューターによって構成されている。制御部４０は、不揮発性メモリーに記憶された制御プログラムをＣＰＵに実行させることにより、スマートグラス４の各部を制御する。
【００５４】
情報処理装置３は、パーソナルコンピュータやタブレット端末によって構成されている。情報処理装置３は、マイク３２（遠隔表示部）、ディスプレイ３３（遠隔表示部）、スピーカ３６、操作部３４、通信部３５（遠隔通信部）及び制御部３０を備えている。
【００５５】
マイク３２は、情報処理装置３の周囲の音声を集音する。ディスプレイ３３は、例えば、液晶ディスプレイによって構成されている。ディスプレイ３３は、画像を表示するための表示領域を有し、制御部３０による制御の下、指示された画像を当該表示領域に表示する。スピーカ３６は、制御部３０による制御の下、指示された音声を出力する。
【００５６】
操作部３４は、例えば、ディスプレイ３３の表示領域上に設けられたタッチパネル装置によって構成されている。操作部３４は、ユーザによってディスプレイ３３の表示領域上において行われた各種操作を検出し、検出した操作に対応付けられた指示を制御部３０へ出力する。当該表示領域において行われる操作には、タッチ操作、ドラッグ（スワイプ）操作、ロングタップ（長押し）操作、ダブルタップ操作等が含まれる。更に、操作部３４は、キーボードやマウス等の入力機器を備え、当該入力機器を用いて行われた操作に対応付けられた指示や当該入力機器を用いて入力された情報を制御部３０へ出力する。
【００５７】
通信部３５は、情報処理装置３がネットワーク９（図１）を介して、サーバ１と通信するための通信インターフェイス回路によって構成されている。通信部３５は、制御部３０による制御の下、サーバ１との間で通信を行う。また、通信部３５は、制御部３０による制御の下、サーバ１を介してスマートグラス４との間で通信を行う。
【００５８】
制御部３０は、ＣＰＵ、ＲＡＭ等の揮発性メモリー、ＥＥＰＲＯＭ等の不揮発性メモリー、現在時刻を計時するタイマー回路等を備えたマイクロコンピューターによって構成されている。制御部３０は、不揮発性メモリーに記憶された制御プログラムをＣＰＵに実行させることにより、情報処理装置３の各部を制御する。
【００５９】
尚、通信部３５が、制御部３０による制御の下、一以上の試験器５及び計測器６と通信可能であってもよい。そして、制御部３０が、当該通信部３５を介して試験器５及び計測器６の制御を行うようにしてもよい。
【００６０】
サーバ１は、図２に示すように、制御部１０（試験制御部）と、通信部１１と、記憶部１４と、を備えている。尚、サーバ１が、ディスプレイ３３と同様の表示部と、操作部３４と同様の操作部を備えていてもよい。
【００６１】
制御部１０は、ＣＰＵ、ＲＡＭ等の揮発性メモリー、ＥＥＰＲＯＭ等の不揮発性メモリー、現在時刻を計時するタイマー回路等を備えたマイクロコンピューターによって構成されている。制御部１０は、不揮発性メモリーに記憶された制御プログラムをＣＰＵに実行させることにより、サーバ１の各部を制御する。
【００６２】
通信部１１は、サーバ１がネットワーク９（図１）を介して、サーバ１の外部の装置と通信するための通信インターフェイス回路によって構成されている。通信部１１は、制御部１０による制御の下、各試験器５、計測器６、スマートグラス４及び情報処理装置３との間で通信を行う。
【００６３】
記憶部１４は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成されている。記憶部１４には、各試験器５に試験を実行させるために必要な各種情報が予め記憶されている。また、記憶部１４には、制御部１０による制御の下、各試験器５における試験の実行中に通信部１１が受信した各種情報や制御部１０から指示された情報等が記憶される。
【００６４】
（記憶部１４が記憶する情報）
以下、記憶部１４が記憶する情報の詳細について説明する。図３は、試験器テーブルの一例を示す図である。図４は、試験器情報に含まれる槽内配置図及び配置図の一例を示す図である。
【００６５】
図３に示すように、記憶部１４には、試験器５の識別子（以降、試験器ＩＤ）（例：「１１１」）と当該試験器ＩＤに対応する試験器５に関する情報である試験器情報とを対応付けた試験器テーブルが予め記憶されている。試験器テーブルは、例えば、試験器５の管理者や試験器５での試験の経験が豊富な作業者等による情報処理装置３の操作部３４の操作によって、通信部３５を介してサーバ１と通信を行うことにより、記憶部１４に予め記憶されている。
【００６６】
試験器情報には、試験器５の名称（以降、試験器名）（例：「冷熱衝撃装置  Ｃ−１１」）と、試験器５が備える試験槽の識別子（以降、試験槽ＩＤ）（例：「１１１１」）と、が含まれる。
【００６７】
また、試験器情報には、例えば、図４のセクション（Ａ）に示すように、試験器５が備える試験槽内において試料７を配置可能な領域（以降、配置領域）（例：「Ａ」、「Ｂ」、「Ｃ」、「Ｄ」）を表す槽内配置図の画像データが含まれる。例えば、図４のセクション（Ａ）に示す槽内配置図では、試験槽内に二個の試料棚５２１、５２２が設けられ、上段の試料棚５２１には二個の試料７の配置領域「Ａ」、「Ｂ」が設けられ、下段の試料棚５２２には二個の試料７の配置領域「Ｃ」、「Ｄ」が設けられていることが図示されている。
【００６８】
また、試験器情報には、試験器５が配置されている試験室２（例：「１Ｆ試験室」）と、例えば図４のセクション（Ｂ）に示すように、当該試験室２における当該試験器５の配置場所（例：網掛け部）を表す配置図の画像データが含まれる。
【００６９】
図５は、試験パターンテーブルの一例を示す図である。図５に示すように、記憶部１４には、試験器ＩＤ（例：「１１１」）と当該試験器ＩＤに対応する試験器５において設定可能な試験条件のパターン（以降、試験パターン）に関する試験パターン情報とを対応付けた試験パターンテーブルが予め記憶されている。試験パターンテーブルは、例えば、試験器５の管理者や試験器５での試験の経験が豊富な作業者等による情報処理装置３の操作部３４の操作によって、記憶部１４に予め記憶されている。
【００７０】
試験パターン情報には、試験パターンの識別子（以降、試験パターンＩＤ）（例：「１２」）と、試験パターンの名称（以降、試験パターン名）（例：「試験パターン１」）と、試験条件の設定内容（例：「高温槽（１７５℃、手動）、低温槽（−７５℃、手動）、高温さらし（１５０℃，０：３０）、常温さらし（０：０５）、低温さらし（−６５℃、０：３０）、試験時間（７６：４５）、・・・」）と、が含まれる。
【００７１】
図６は、試料テーブルの一例を示す図である。図６に示すように、記憶部１４には、試料７の識別子（以降、試料ＩＤ）（例：「３５８Ｄ−４４５８７５２６９」）と当該試料ＩＤに対応する試料７に関する試料情報とを対応付けた試料テーブルが予め記憶されている。試料テーブルは、例えば、試験の経験が豊富な作業者による情報処理装置３の操作部３４の操作によって、各試験器５における試験の実行前に、記憶部１４に記憶される。
【００７２】
試料情報には、試料７の名称（以降、試料名）（例：「テスト基板Ｃ」）と、当該試料情報を記憶部１４に記憶した作業者（以降、試料登録者）（例：「基盤開発部  ○○  △△」）と、試料７の画像を示す画像データが含まれる。
【００７３】
図７は、試験テーブルの一例を示す図である。記憶部１４には、図７に示すように、各試験の識別子（以降、試験ＩＤ）（例：「４５３６７」）と、各試験に関する試験情報及び各試験の進捗状況を示す試験進捗情報とを対応付ける試験テーブルの記憶領域が設けられている。
【００７４】
試験情報には、試料に対する試験を行う試験器５（以降、対象試験器）の試験器ＩＤ（例：「１１１」）、対象試験器が備える試験槽（以降、対象試験槽）の試験槽ＩＤ（例：「１１１１」）及び各試験の対象となる試料７の試料ＩＤ（例：「３５８Ｄ−４４５８７５２６９」）が含まれる。また、試験情報には、各試験の開始予定日時（例：「２０１８／５／３０  １３：００」）、各試験の終了予定日時（例：「２０１８／６／２  １７：４５」）、各試験で用いる試験条件に対応する試験パターンの識別子である試験パターンＩＤ（図５参照）（例：「１２」）等が含まれる。試験情報は、例えば、作業者に試験に関する作業を指示した作業指示者による情報処理装置３の操作部３４の操作によって、試験の開始前に試験テーブルに記憶される。
【００７５】
試験進捗情報には、各試験の開始日時（例：「２０１８／５／３０  １３：００」）、各試験の終了日時、各試験の状態（以降、ステータス）（例：「試験中」）、各試験の残り時間（例：「４６：５４」）及び各試験の残りサイクル（例：「１１２」）等が含まれる。尚、各試験の残り時間とは、試験条件として設定された試験時間から、各試験が開始されてから現在までに実行されている累積時間を減算することで得られる時間を示す。各試験の残りサイクルとは、試験条件として設定された試験中に対象試験槽内の環境を変化させる回数から、各試験が開始されてから現在までに対象試験槽内の環境を変化させた回数を減算することで得られる回数である。試験進捗情報は、各試験の開始後、試験器５とサーバ１との通信によって、定期的に又は不定期に更新される。
【００７６】
図８は、試料配置テーブルの一例を示す図である。記憶部１４には、図８に示すように、試料７の試料ＩＤ（例：「３５８Ｄ−４４５８７５２６９」）と、対象試験槽への試料７の配置に関する配置関連情報と、を対応付ける試料配置テーブルの記憶領域が設けられている。配置関連情報は、例えば、作業者に試験に関する作業を指示した作業指示者による情報処理装置３の操作部３４の操作によって、試験の開始前に試験配置テーブルに記憶される。
【００７７】
配置関連情報には、試料７に対する試験の試験ＩＤ（例：「４５３６７」）、対象試験器の試験器ＩＤ（例：「１１１」）、対象試験槽の試験槽ＩＤ（例：「１１１１」）及び対象試験器の試験器名（例：「冷熱衝撃装置  Ｃ−１１」）（識別情報）が含まれる。また、配置関連情報には、対象試験槽内に設けられた配置領域（図４のセクション（Ａ）参照）の中から、試料７を配置する領域として選択された配置領域（以降、配置エリア）（例：「Ｃ」）（配置領域情報）が含まれる。
【００７８】
配置関連情報には、更に、対象試験槽内に試料７を配置したときに試料７が向く方向を示す配置方向情報（例：「マーカ左前」）が含まれる。例えば、配置方向情報が文字列「マーカ左前」である場合、作業者は、対象試験槽の開口部から試料７を配置するときに、試料７に貼付された試料マーカＤ７（マーカ）が左手前の位置となるように、試料７の向きを定めて配置すればよい。尚、配置方向情報は、文字列に限らず、対象試験槽内に試料７を配置したときに試料７が向く方向を示す動画、画像又は音声のデータであってもよい。
【００７９】
配置関連情報には、更に、試料７を配置する方法を示す配置方法情報（例：「直置き」）が含まれる。例えば、配置方法情報が文字列「直置き」である場合、作業者は、試料７を配置エリアに直置きすればよい。また、配置方法情報が文字列「冶具で固定」である場合、作業者は、試料７を配置エリアにおいて冶具で固定すればよい。尚、配置方法情報は、文字列に限らず、試料７を配置する方法を示す動画、画像又は音声のデータであってもよい。
【００８０】
配置関連情報には、更に、熱電対等の試験に必要な器具を試料７に取り付ける方法を示す器具取付情報（例：「熱電対任意２か所」）が含まれる。例えば、器具取付情報が文字列「熱電対任意２か所」である場合、作業者は、試料７の任意の２か所に熱電対を取り付ければよい。尚、配置関連情報は、文字列に限らず、試験に必要な器具を試料７に取り付ける方法を示す動画、画像又は音声のデータであってもよい。
【００８１】
尚、配置関連情報には、配置方向情報、配置方法情報及び器具取付情報のうちの一以上の情報が含まれていなくてもよい。
【００８２】
図９は、試験器モニタテーブルの一例を示す図である。記憶部１４には、図９に示すように、対象試験器の試験器ＩＤ（例：「１１１」）と、対象試験器の運転状態を示す運転情報と、を対応付ける試験器モニタテーブルの記憶領域が設けられている。
【００８３】
運転情報には、対象試験器の運転状態（例：「運転中」）が含まれる。
【００８４】
また、運転情報には、試験条件に含まれる対象試験槽内の環境を調整するパターン（以降、運転パターン）のうち、対象試験器が現在実行している運転パターンの識別子（以降、運転パターンＩＤ）（例：「５」）及び当該運転パターンの名称（以降、運転パターン名）（例：「試験パターン１」）が含まれる。
【００８５】
更に、運転情報には、対象試験器において警報が報知された件数を示す警報情報（例：「０」）、対象試験器において警告等のインフォメーションが報知された件数を示すインフォメーション情報（例：「４」）及びサイクル情報（例：４５６／１０００）が含まれる。サイクル情報とは、試験条件として設定された、対象試験器の運転を開始した後、運転を停止するまでに対象試験槽内の環境を変化させる回数と、対象試験器において運転が開始されてから現在までに対象試験槽内の環境を変化させた回数を示す。
【００８６】
更に、運転情報には、対象試験槽内の環境の調整に用いられる高温槽内の現在の温度を示す高温槽温度情報（例：「１４４℃」）、現在の対象試験槽内の温度を示すテストエリア温度（例：「４４℃」）及び対象試験槽内の環境の調整に用いられる低温槽内の現在の温度を示す低温槽温度情報（例：「−７５℃」）等が含まれる。
【００８７】
尚、対象試験器において試験が実行されている間、定期的に又は不定期に、対象試験器から定期的にサーバ１に送信される情報に基づき、制御部１０によって、運転情報が試験モニタテーブルに記憶又は更新される。
【００８８】
図１０は、試料モニタテーブルの一例を示す図である。記憶部１４には、図１０に示すように、試験の対象となっている試料７の試料ＩＤ（例：「３５８Ｄ−４４５８７５２６９」）と、当該試料７の状態を示す試料モニタ情報と、を対応付ける試料モニタテーブルの記憶領域が設けられている。試料モニタ情報には、試料７に取り付けられた熱電対等によって最も直近に測定された試料７の温度を示す温度情報（例：「４４℃」）等が含まれる。尚、対象試験器における試験の開始後、定期的に又は不定期に、計測器６がサーバ１に送信した情報に基づき、制御部１０によって、試料モニタ情報が試料モニタテーブルに記憶又は更新される。
【００８９】
（試験開始前の試験作業支援システム１００の動作）
以下、試験開始前の試験作業支援システム１００の動作について説明する。図１１は、試験開始前の試験作業支援システム１００の動作の一例を示すフローチャートである。図１２は、試料関連情報Ｒ７の表示例を示す図である。図１１に示すように、制御部４０は、先ず、公知の画像認識処理を実行することにより、試料マーカＤ７がカメラ４１の撮影画像に含まれているか否かを判定する（ステップＳ１０１）。
【００９０】
例えば、図１２のセクション（Ａ）に示すように、作業者がスマートグラス４を頭部に装着した後、作業者が試料７に視線を向けたことにより、カメラ４１の撮影画像に試料マーカＤ７が含まれたとする。この場合、ステップＳ１０１において、制御部４０は、試料マーカＤ７がカメラ４１の撮影画像に含まれていると判定する（ステップＳ１０１でＹＥＳ）。
【００９１】
この場合、制御部４０は、例えば、図１２のセクション（Ｂ）に示すように、記憶部１４において試料マーカＤ７が示す試料ＩＤに対応付けられている試料関連情報の一部Ｒ７を、スクリーン４３の表示領域に表示する（ステップＳ１０２）。
【００９２】
具体的には、ステップＳ１０２において、制御部４０は、ステップＳ１０１で認識した試料マーカＤ７を所定の変換方法で文字列に変換し、当該文字列を試料ＩＤとして取得する。そして、制御部４０は、当該取得した試料ＩＤと共に、記憶部１４において当該試料ＩＤに対応付けられている試料関連情報の送信を要求する指示（コマンド）を、通信部４５を介してサーバ１に送信する。
【００９３】
サーバ１において、制御部１０は、通信部１１によって受信された試料ＩＤ及び試料関連情報の送信を要求する指示を受け取ると、当該指示に従って、記憶部１４から、当該受け取った試料ＩＤに対応付けられている試料関連情報を取得する。そして、制御部１０は、当該取得した試料関連情報を、通信部１１を介して返信する。制御部４０は、通信部４５によって受信された試料関連情報を受け取ると、当該受け取った試料関連情報の一部Ｒ７をスクリーン４３の表示領域に表示する。
【００９４】
スクリーン４３に表示される試料関連情報の一部Ｒ７には、例えば、図１２のセクション（Ｂ）に示すように、試験ＮＯ（例：「３５８Ｄ―４４５８７５２６９」）、試料７の画像、試験開始予定日時（例：「２０１８／５／３０  １３：００」）、試験時間（例：「７６：４５」）、試験終了予定日時（例：「２０１８／６／２  １７：４５」）、試験器名（例：「冷熱衝撃装置  Ｃ−１１」）、配置エリア（例：「Ｃ」）、試験条件（例：「試験パターン１」）及び依頼者（例：「基板開発部  ○○  △△」）が含まれる。
【００９５】
また、試料関連情報には、スクリーン４３に表示されないが、ステップＳ１０１で認識された試料マーカＤ７が示す試料ＩＤの試料７に対する試験を行う対象試験器の試験器ＩＤ及び対象試験槽の試験槽ＩＤが含まれる。
【００９６】
制御部１０は、試料関連情報に含まれる各情報を以下のようにして取得する。制御部１０は、通信部１１によって受信された試料ＩＤを、試料関連情報に含まれる試験ＮＯとして取得する。制御部１０は、試料テーブル（図６）において当該試料ＩＤと対応付けられている試料情報に含まれる試料７の画像データ及び試料登録者を、試料関連情報に含まれる試料７の画像及び依頼者として取得する。
【００９７】
制御部１０は、試験テーブル（図７）において前記試料ＩＤを含む試験情報に含まれている開始予定日時及び終了予定日時を、試料関連情報に含まれる試験開始予定日時及び試験終了予定日時として取得する。制御部１０は、試料配置テーブル（図８）において前記試料ＩＤと対応付けられている配置関連情報に含まれている試験器ＩＤ、試験槽ＩＤ、試験器名及び配置エリアを、試料関連情報に含まれる試験器ＩＤ、試験槽ＩＤ、試験器名及び配置エリアとして取得する。
【００９８】
制御部１０は、試験テーブル（図７）において通信部１１から受け取った試料ＩＤ（例：「３５８Ｄ―４４５８７５２６９」）を含む試験情報に含まれている試験器ＩＤ（例：「１１１」）及び試験パターンＩＤ（例：「１２」）を取得する。そして、制御部１０は、試験パターンテーブル（図５）において、当該取得した試験器ＩＤに対応付けられている試験パターン情報のうち、当該取得した試験パターンＩＤを含んだ試験パターン情報を参照する。そして、制御部１０は、当該参照した試験パターン情報に含まれる試験条件の設定内容に含まれている試験時間（例：「７６：４５」）及び試験パターン名（例：「試験パターン１」）を、試料関連情報に含まれる試験時間及び試験条件として取得する。
【００９９】
尚、スクリーン４３に表示される試料関連情報の一部Ｒ７には、図１２のセクション（Ｂ）に例示した情報に限らず、試料配置テーブル（図８）において、制御部４０が取得した試料ＩＤに対応付けられている配置関連情報に含まれる、配置方向情報、配置方法情報及び器具取付情報のうち、一以上の情報が更に含まれていてもよい。
【０１００】
試料関連情報の一部Ｒ７に配置方向情報が含まれている場合、作業者は、試験槽への試料７の配置経験が未熟であっても、スクリーン４３の表示領域に表示された配置方向情報が示す方向に試料が向くようにして、対象試験槽内に試料を適切に配置することができる。試料関連情報の一部Ｒ７に配置方法情報が含まれている場合、作業者は、試験槽への試料の配置経験が未熟であっても、スクリーン４３の表示領域に表示された配置方法情報が示す方法に従って、対象試験槽内に試料７を適切な方法で配置することができる。試料関連情報の一部Ｒ７に器具取付情報が含まれている場合、作業者は、試験に必要な器具を試料に取り付ける経験が未熟であっても、スクリーン４３の表示領域に表示された器具取付情報が示す方法に従って、試験に必要な器具を、対象試験槽内に配置した試料７に適切に取り付けることができる。
【０１０１】
また、試料関連情報には、対象試験器の試験器ＩＤ、対象試験槽の試験槽ＩＤ、試験器名及び配置エリア以外の情報が含まれていなくてもよい。また、試料関連情報には、試験器名が含まれていなくてもよい。この場合、試料関連情報の一部Ｒ７には、対象試験器を識別するための識別情報として、対象試験器の試験器名に代えて、対象試験器の試験器ＩＤを含めてもよい。
【０１０２】
上記構成によれば、作業者は、試験の経験が未熟であっても、スクリーン４３の表示領域に表示された試料関連情報の一部Ｒ７に含まれる、対象試験器の試験器名又は試験器ＩＤと配置エリアに基づき、試料７に対する試験を行う対象試験器を適切に把握することができ、且つ、当該対象試験器の試験槽内の所定の領域に適切に試料を配置することができる。
【０１０３】
尚、制御部４０は、ステップＳ１０１において試料マーカＤ７がカメラ４１の撮影画像に含まれていないと判定した場合（ステップＳ１０１でＮＯ）、ステップＳ１０１以降の処理を実行する。
【０１０４】
ステップＳ１０２の実行後、制御部４０は、公知の画像認識処理を実行することにより、対象試験器の試験器ＩＤを示す試験器マーカＤ５がカメラ４１の撮影画像に含まれているか否かを判定する（ステップＳ１０３）。
【０１０５】
具体的には、ステップＳ１０３において、制御部４０は、公知の画像認識処理を実行することにより、撮影画像に含まれている全ての試験器マーカＤ５を所定の変換方法で文字列に変換し、当該変換した文字列を撮影画像に含まれている全ての試験器５の試験器ＩＤとして取得する。そして、制御部４０は、当該取得した試験器ＩＤの中に、試料関連情報に含まれる対象試験器の試験器ＩＤが含まれている場合、対象試験器の試験器ＩＤを示す試験器マーカＤ５が、カメラ４１の撮影画像に含まれていると判定する（ステップＳ１０３でＹＥＳ）。
【０１０６】
図１３は、試験器情報Ｒ５の表示例を示す図である。例えば、作業者が、ステップＳ１０２においてスクリーン４３に表示された試料関連情報Ｒ７に含まれる対象試験器の試験器名を視認したとする。そして、例えば図１３に示すように、作業者が、対象試験器Ｔ５が配置されている試験室２に入室し、周りを見渡している途中で、対象試験器Ｔ５が配置されている方向を向いたとする。その結果、カメラ４１の撮影画像に対象試験器Ｔ５の試験器ＩＤを示す試験器マーカＤ５が含まれたとする。この場合、制御部４０は、ステップＳ１０３において、対象試験器Ｔ５の試験器ＩＤを示す試験器マーカＤ５が、カメラ４１の撮影画像に含まれていると判定する（ステップＳ１０３でＹＥＳ）。
【０１０７】
この場合、制御部４０は、例えば図１３に示すように、対象試験器Ｔ５がカメラ４１の撮影画像において配置されている領域に対応する、スクリーン４３の表示領域内の領域と対応付けるようにして、記憶部１４において対象試験器Ｔ５の試験器ＩＤに対応付けられている試験器情報Ｒ５を表示する（ステップＳ１０４）。
【０１０８】
具体的には、ステップＳ１０４において、制御部４０は、ステップＳ１０２と同様、ステップＳ１０２でサーバ１から受信した試料関連情報に含まれる対象試験器Ｔ５の試験器ＩＤと共に、記憶部１４において対象試験器Ｔ５の試験器ＩＤに対応付けられている試験器情報Ｒ５の送信を要求する指示を、サーバ１に送信する。
【０１０９】
サーバ１において、制御部１０が、通信部１１を介して対象試験器Ｔ５の試験器ＩＤ及び試験器情報Ｒ５の送信を要求する指示を受け取ると、当該指示に従って、記憶部１４から、当該受け取った試験器ＩＤに対応付けられている試験器情報Ｒ５を取得する。そして、制御部１０は、当該取得した試験器情報Ｒ５を、通信部１１を介して返信する。
【０１１０】
制御部４０は、通信部４５によって受信された試験器情報Ｒ５を受け取ると、当該受け取った試験器情報Ｒ５を示す吹き出し形状の画像（以降、吹き出し画像）を生成する。そして、制御部４０は、例えば図１３に示すように、当該生成した吹き出し画像における吹き出しの起点が、対象試験器Ｔ５がカメラ４１の撮影画像において配置されている領域に対応するスクリーン４３の表示領域内の領域の近傍に位置するようにして、当該生成した吹き出し画像をスクリーン４３の表示領域に表示する。これにより、制御部４０は、カメラ４１の撮影画像において対象試験器Ｔ５が配置されている領域に対応する、スクリーン４３の表示領域内の領域と対応付けるようにして、試験器情報Ｒ５を表示する。
【０１１１】
尚、制御部４０が、カメラ４１の撮影画像において対象試験器Ｔ５が配置されている領域に対応するスクリーン４３の表示領域内の領域と対応付けるようにして、試験器情報Ｒ５を表示する方法はこれに限らない。例えば、制御部４０が、カメラ４１の撮影画像において対象試験器Ｔ５が配置されている領域内及び当該領域の近傍に対応する、スクリーン４３の表示領域内の領域に試験器情報Ｒ５を表示してもよい。
【０１１２】
また、制御部４０は、試験器マーカＤ５がカメラ４１の撮影画像に含まれている場合に試験器情報Ｒ５を表示する。換言すれば、試験器情報Ｒ５が表示されるとき、カメラ４１の撮影画像には、少なくとも、試験器マーカＤ５が付加されている対象試験器Ｔ５の外面の一部の領域が含まれている。したがって、制御部４０が、対象試験器Ｔ５を含んだカメラ４１の撮影画像内の任意の位置に対応するスクリーン４３の表示領域内の位置に、試験器情報Ｒ５を表示するようにしてもよい。
【０１１３】
試験器情報Ｒ５には、例えば、図１３に示すように、対象試験器Ｔ５の試験器名（例：「冷熱衝撃装置  Ｃ−１１」）が含まれる。具体的には、制御部１０は、試験器テーブル（図３）において、スマートグラス４から通信部１１を介して受け取った対象試験器Ｔ５の試験器ＩＤに対応付けられている試験器情報に含まれる試験器名を、試験器情報Ｒ５に含まれる対象試験器Ｔ５の試験器名として取得する。
【０１１４】
尚、試験器情報Ｒ５に含まれる情報には、図１３に例示した対象試験器Ｔ５の試験器名に限らず、試験器テーブル（図３）において、制御部４０が取得した対象試験器の試験器ＩＤに対応付けられている試験器情報に含まれている、試験器名とは異なる情報が含まれていてもよい。
【０１１５】
上記構成によれば、当該作業者は、対象試験器Ｔ５に関する情報及び対象試験器Ｔ５の配置場所を知らなかった場合でも、スクリーン４３の表示領域に表示された、試験器テーブル（図３）において対象試験器の試験器ＩＤに対応付けられている試験器情報に基づき、対象試験器Ｔ５に関する情報を容易に把握することができる。また、当該作業者は、スクリーン４３の表示領域において試験器情報が表示されている位置に基づき、対象試験器Ｔ５の配置場所を容易に把握することができる。
【０１１６】
ステップＳ１０４の実行後、制御部４０は、ステップＳ１０１と同様、公知の画像認識処理を実行することにより、対象試験器の試験槽（以降、対象試験槽）の試験槽ＩＤを示す試験槽マーカＤ５２（図１４参照）が、カメラ４１の撮影画像に含まれているか否かを判定する（ステップＳ１０５）。
【０１１７】
図１４は、配置領域の強調表示例を示す図である。例えば、作業者が、対象試験器Ｔ５が配置されている試験室２内において、対象試験器Ｔ５が配置されている位置まで移動後、対象試験器Ｔ５において開閉扉５１を開くための所定の操作を行い、開閉扉５１が開かれた状態になったとする。そして、作業者が、試験槽マーカＤ５２を視認した結果、カメラ４１の撮影画像に対象試験槽の試験槽ＩＤを示す試験槽マーカＤ５２が含まれたとする。この場合、制御部４０は、ステップＳ１０５において、対象試験槽の試験槽ＩＤを示す試験槽マーカＤ５２が、カメラ４１の撮影画像に含まれていると判定する（ステップＳ１０５でＹＥＳ）。
【０１１８】
この場合、制御部４０は、例えば図１４に示すように、ステップＳ１０２で表示した試料関連情報Ｒ７（図１２）に含まれる配置エリア（例：「Ｃ」）が示す領域がカメラ４１の撮影画像において配置されている領域に対応するスクリーン４３の表示領域内の領域（例：領域Ａ５２）を強調して表示する（ステップＳ１０６）。
【０１１９】
具体的には、ステップＳ１０６において、制御部４０は、カメラ４１の撮影画像及びステップＳ１０２で取得した試料関連情報（図１２）に含まれる対象試験器Ｔ５の試験器ＩＤ、対象試験槽の試験槽ＩＤ及び配置エリアと共に、配置エリアに対応する領域を強調表示する指示を、通信部４５を介してサーバ１に送信する。
【０１２０】
これに応じて、サーバ１において、制御部１０が、通信部１１によって受信された、カメラ４１の撮影画像、対象試験器Ｔ５の試験器ＩＤ、対象試験槽の試験槽ＩＤ、配置エリア及び配置エリアに対応する領域を強調表示する指示を受け取ったとする。
【０１２１】
この場合、制御部１０は、試験器テーブル（図３）において当該受け取った対象試験器Ｔ５の試験器ＩＤに対応付けられている試験器情報のうち、当該受け取った対象試験槽の試験槽ＩＤを含む試験器情報を参照し、当該参照した試験器情報に含まれている槽内配置図の画像データを取得する。
【０１２２】
制御部１０は、公知の画像認識処理を行うことにより、前記受け取ったカメラ４１の撮影画像において、当該取得した画像データが示す槽内配置図に対応する画像が配置されている領域を認識する。制御部１０は、前記受け取ったカメラ４１の撮影画像と同じ形状及び大きさの透明画像を生成する。制御部１０は、前記受け取ったカメラ４１の撮影画像において前記認識した領域が配置されている領域に対応する前記透明画像上の領域のうち、前記受け取った配置エリアに対応する領域Ａ５２（図１４）を太線で囲む。そして、制御部１０は、前記透明画像における当該太線で囲んだ領域に対応付けるようにして、前記受け取った配置エリアを示すメッセージ（例：「配置エリア：Ｃ」（図１４））を重畳した画像を、通信部１１を介して返信する。これに応じて、制御部４０は、通信部４５によって受信された画像を受け取ると、当該受け取った画像をスクリーン４３の表示領域に表示する。
【０１２３】
上記構成によれば、配置エリアが示す領域がカメラ４１の撮影画像において配置されている領域に対応する、スクリーン４３の表示領域内の領域が強調して表示される。このため、当該作業者は、試験槽への試料７の配置経験が未熟であっても、前記表示領域において強調して表示されている領域に基づき、対象試験槽内における配置エリアが示す領域に試料７を容易に配置することができる。
【０１２４】
尚、制御部４０は、ステップＳ１０３において試験器マーカＤ５がカメラ４１の撮影画像に含まれていないと判定した場合（ステップＳ１０３でＮＯ）及びステップＳ１０５において試験槽マーカＤ５２がカメラ４１の撮影画像に含まれていないと判定した場合（ステップＳ１０５でＮＯ）、ステップＳ１０３以降の処理を実行する。
【０１２５】
ステップＳ１０６の実行後、作業者による操作部４４の操作によって、試料７の配置に関連する作業の支援を要求する支援要求指示が入力されたとする（ステップＳ１０７でＹＥＳ）。試料７の配置に関連する作業には、例えば、試料７を対象試験槽内に配置するときの試料７の向きを定める作業や、試料７に熱電対等の器具を取り付ける作業等が含まれる。
【０１２６】
この場合、制御部４０は、カメラ４１の撮影画像を情報処理装置３のディスプレイ３３に表示させる（ステップＳ１０８）。そして、制御部４０は、スマートグラス４の通信部４５と情報処理装置３の通信部３５とによって、スマートグラス４のマイク４２及び情報処理装置３のマイク３２で集音された音声をスマートグラス４と情報処理装置３との間で互いに通信させる（ステップＳ１０９）。
【０１２７】
具体的には、ステップＳ１０８において、制御部４０は、カメラ４１の撮影画像と共に、ステップＳ１０７で入力された支援要求指示をサーバ１に送信する。これに応じて、サーバ１では、制御部１０は、通信部１１を介して撮影画像及び支援要求指示を受け取ると、当該受け取った撮影画像及び支援要求指示を通信部１１によって情報処理装置３へ転送させる。これに応じて、情報処理装置３では、制御部３０は、通信部３５を介して撮影画像及び支援要求指示を受け取ると、当該受け取った支援要求指示に従い、当該受け取った撮影画像をディスプレイ３３に表示させる。
【０１２８】
そして、制御部４０は、ステップＳ１０９において、マイク４２で集音された音声と共に、音声通信の要求指示をサーバ１に送信する。サーバ１では、制御部１０は、通信部１１を介してマイク４２で集音された音声及び音声通信の要求指示を受け取ると、当該受け取った音声及び音声通信の要求指示を通信部１１によって情報処理装置３へ転送させる。情報処理装置３では、制御部３０は、通信部３５を介してマイク４２で集音された音声及び音声通信の要求指示を受け取ると、当該受け取った音声通信の要求指示に従い、当該受け取った音声をスピーカ３６に出力させる。
【０１２９】
そして、制御部３０は、マイク３２で集音された音声と共に、音声通信の要求指示をサーバ１に送信する。サーバ１では、制御部１０は、通信部１１を介してマイク３２で集音された音声及び音声通信の要求指示を受け取ると、当該受け取った音声及び音声通信の要求指示を通信部１１によってスマートグラス４へ転送させる。スマートグラス４では、制御部４０は、通信部４５を介してマイク３２で集音された音声及び音声通信の要求指示を受け取ると、当該受け取った音声通信の要求指示に従い、当該受け取った音声をスピーカ４６に出力させる。
【０１３０】
一方、ステップＳ１０６の実行後、作業者による操作部４４の操作によって、試料７の配置に関連する作業の支援を要求する支援要求指示が入力されなかった場合（ステップＳ１０７でＮＯ）、ステップＳ１１３以降の処理が行われる。
【０１３１】
ステップＳ１０９において、スマートグラス４と情報処理装置３との間で互いに音声を通信させる音声通信が開始された後、情報処理装置３において、ユーザが操作部３４を用いてディスプレイ３３に表示されている撮影画像に対する描画操作を行ったとする（ステップＳ１１０でＹＥＳ）。この場合、制御部３０は、当該描画操作によって描画された描画画像をスマートグラス４のスクリーン４３の表示領域に表示させる（ステップＳ１１１）。
【０１３２】
具体的には、ステップＳ１１１において、制御部３０は、前記描画画像と共に、描画画像の表示指示をサーバ１に送信する。サーバ１では、制御部１０は、通信部１１を介して描画画像及び描画画像の表示指示を受け取ると、当該受け取った描画画像及び描画画像の表示指示を通信部１１によってスマートグラス４へ転送させる。スマートグラス４では、制御部４０は、通信部４５を介して描画画像及び描画画像の表示指示を受け取ると、当該受け取った表示指示に従い、当該受け取った描画画像をスクリーン４３の表示領域に表示させる。
【０１３３】
作業者による操作部４４の操作によって、試料７の配置に関連する作業の支援を終了する支援終了指示が入力されるまでの間（ステップＳ１１２でＮＯ）、ステップＳ１０８以降の処理が繰り返される。その後、作業者による操作部４４の操作によって、試料７の配置に関連する作業の支援を終了する支援終了指示が入力されると（ステップＳ１１２でＹＥＳ）、試料７の配置に関連する作業の支援が終了し、ステップＳ１１３以降の処理が行われる。
【０１３４】
図１５は、試料７の配置に関連する作業の支援例を示す図である。例えば、図１５は、作業者Ｐ１が対象試験槽内に試料７を配置後、試料７に熱電対を取り付け、当該熱電対を計測器６に接続する配線作業を行う場合に、操作部４４を用いて前記支援要求指示を入力したことで、ステップＳ１０８以降の処理が行われたときのシーンを例示している。
【０１３５】
ステップＳ１０８が行われると、図１５に示すように、スマートグラス４のスクリーン４３と情報処理装置３のディスプレイ３３には、カメラ４１の撮影画像が表示される。ステップＳ１０９が行われると、スマートグラス４のマイク４２で集音した作業者Ｐ１の発話音声と情報処理装置３のマイク３２で集音したユーザＰ２の発話音声とが互いに通信し合うことで、作業者Ｐ１とユーザＰ２との間で会話が行われる。このとき、ユーザＰ２が操作部３４を用いて描画画像Ｄ３０の描画操作を行うと、ステップＳ１１１が行われ、当該描画操作によって描画された描画画像Ｄ３０がスマートグラス４のスクリーン４３にも表示される。
【０１３６】
上記構成によれば、試験の経験が豊富な作業支援者は、情報処理装置３のディスプレイ３３において、スマートグラス４のカメラ４１の撮影画像と同じ画像を視認しながら、スマートグラス４を装着している作業者と会話を行うことができる。このため、前記作業者は、試験の経験が未熟であっても、前記作業支援者から試料の配置に関連する作業の支援を容易に受けることができる。
【０１３７】
また、上記構成によれば、試験の経験が豊富な作業支援者は、情報処理装置３のディスプレイ３３に表示されているスマートグラス４のカメラ４１の撮影画像と同じ画像に対する描画操作を行い、当該描画操作によって描画された描画画像Ｄ３０をスクリーン４３の表示領域に表示することができる。
【０１３８】
このため、作業者は、試験の経験が未熟であっても、スクリーン４３の表示領域に表示された描画画像Ｄ３０を視認しながら、前記作業支援者と音声通信を行うことができる。その結果、作業者は、前記作業支援者から試料の配置に関連する作業について、より詳細な支援を受けることができる。
【０１３９】
ステップＳ１１３では、制御部４０は、ステップＳ１０５と同様に、対象試験槽の試験槽ＩＤを示す試験槽マーカＤ５２（図１４）がカメラ４１の撮影画像に含まれているか否かを判定する（ステップＳ１１３）。ステップＳ１１３において、制御部４０は、試験槽マーカＤ５２（図１４）がカメラ４１の撮影画像に含まれていると判断した場合（ステップＳ１１３でＹＥＳ）、対象試験槽の開閉扉５１が開いている状態であると判断し、ステップＳ１０７以降の処理を行う。ステップＳ１１３において、制御部４０は、試験槽マーカＤ５２（図１４）がカメラ４１の撮影画像に含まれていないと判断した場合（ステップＳ１１３でＮＯ）、対象試験槽に試料７が配置された後に開閉扉５１が閉じている状態になったと判断し、試験開始前の試験作業支援システム１００の動作を終了する。
【０１４０】
（試験開始以降の試験作業支援システム１００の動作）
次に、試験開始以降の試験作業支援システム１００の動作について説明する。図１６は、試験開始以降の試験作業支援システム１００の動作の一例を示すフローチャートである。図１７は、試験関連情報Ｒ１１の表示例を示す図である。上述した試験開始前の試験作業支援システム１００の動作を終了後、図１６に示すように、作業者による操作部４４の操作によって、試験を開始する試験開始指示が入力されたとする（ステップＳ２０１でＹＥＳ）。
【０１４１】
例えば、ステップＳ２０１において、制御部４０は、図１７のセクション（Ａ）に示すように、作業者による操作部４４の操作によって、試験を開始する試験開始指示の入力画面Ｒ１０が表示され、試験を開始する試験開始指示（例：「はい」）を示すソフトキーＫ１０が選択されると、試験開始指示が入力されたと判断する。
【０１４２】
この場合、制御部４０は、通信部４５を制御して、対象試験器との間で直接的又は間接的（サーバ１を介して）に通信を行い、対象試験器に試験を開始させる（ステップＳ２０２）。そして、制御部４０は、例えば図１７のセクション（Ｂ）に示すように、記憶部１４において対象試験器の試験器ＩＤと対応付けられている試験関連情報Ｒ１１をスクリーン４３の表示領域に表示する（ステップＳ２０３）。
【０１４３】
具体的には、ステップＳ２０３において、制御部４０は、ステップＳ１０２でサーバ１から受信した試料関連情報に含まれる対象試験器Ｔ５の試験器ＩＤと共に、記憶部１４において当該試験器ＩＤに対応付けられている試験関連情報Ｒ１１の送信を要求する指示（コマンド）を、通信部４５を介してサーバ１に送信する。
【０１４４】
サーバ１において、制御部１０は、通信部１１によって受信された試験器ＩＤ及び試験関連情報Ｒ１１の送信を要求する指示を受け取ると、当該指示に従って、記憶部１４から、当該受け取った試験器ＩＤに対応付けられている試験関連情報Ｒ１１を取得する。そして、制御部１０は、当該取得した試験関連情報Ｒ１１を、通信部１１を介して返信する。制御部４０は、通信部４５によって受信された試験関連情報Ｒ１１を受け取ると、当該受け取った試験関連情報Ｒ１１をスクリーン４３の表示領域に表示する。
【０１４５】
スクリーン４３に表示される試験関連情報Ｒ１１には、例えば、図１７のセクション（Ｂ）に示すように、対象試験槽内に配置されている全ての試料７の夫々の配置エリア（例：「Ｃ」）、当該全ての試料７の夫々の試料Ｎｏ（例：「３５８Ｄ―４４５８７５２６９」）、当該全ての試料７の夫々の試験の残時間（例：「１８６：５４」）及び残りサイクル（例：「５０２」）が含まれる。
【０１４６】
制御部１０は、試験関連情報Ｒ１１に含まれる各情報を以下のようにして取得する。制御部１０は、試験進捗テーブル（図７）において、通信部１１によって受信された試験器ＩＤ（例：「１１１」）を含む試験情報と対応付けられている試験進捗情報を参照し、当該参照した試験進捗情報のうち、終了日時が記憶されていない試験進捗情報を対象試験進捗情報（記憶部において対象試験器の識別子と対応付けられている試験進捗情報）として取得する。
【０１４７】
そして、制御部１０は、当該取得した対象試験進捗情報に対応付けられている試験情報を参照し、当該参照した試験情報に含まれる試料ＩＤ（例：「４７６Ｋ−５７７７３９４３３」、「１２５Ｔ−２４５８７３３５７」、「３５８Ｄ−４４５８７５２６９」、「１２５Ｓ−４４５７８３３８１」）を、試験関連情報Ｒ１１に含まれる試料Ｎｏとして取得する。
【０１４８】
そして、制御部１０は、試料配置テーブル（図８）において、試験関連情報Ｒ１１に含まれる試料Ｎｏとして取得した前記試料ＩＤ（例：「４７６Ｋ−５７７７３９４３３」、「１２５Ｔ−２４５８７３３５７」、「３５８Ｄ−４４５８７５２６９」、「１２５Ｓ−４４５７８３３８１」）の夫々を含む配置関連情報を参照する。そして、制御部１０は、当該参照した配置関連情報に含まれる配置エリア（例：「Ｄ」、「Ａ」、「Ｃ」、「Ｂ」）を、試験関連情報Ｒ１１に含まれる配置エリアとして取得する。
【０１４９】
また、制御部１０は、前記対象試験進捗情報に含まれる残り時間及び残サイクルを、試験関連情報Ｒ１１に含まれる残時間及び残りサイクルとして取得する。
【０１５０】
尚、スクリーン４３に表示される試験関連情報Ｒ１１には、図１７のセクション（Ｂ）に例示した情報に限らず、前記対象試験進捗情報に含まれる他の情報が更に含まれていてもよいし、一部の情報が省略されていてもよい。
【０１５１】
ステップＳ２０３の実行後、制御部１０は、定期的に又は不定期に、前記対象試験進捗情報を最新の情報に更新する（ステップＳ２０４）。例えば、対象試験器Ｔ５は、定期的に又は不定期に、対象試験器Ｔ５の試験器ＩＤと、運転を開始してからの経過時間及び運転を開始してから対象試験槽内の環境を変化させた回数と、前記対象試験進捗情報の更新を要求する指示を、サーバ１に送信する。
【０１５２】
サーバ１において、制御部１０が、通信部１１によって受信された試験器ＩＤ、前記経過時間、前記回数、及び前記対象試験進捗情報の更新を要求する指示を受け取ったとする。この場合、例えば、制御部１０は、今回受け取った前記経過時間及び前記回数から、それぞれ、当該受け取った試験器ＩＤと同じ試験器ＩＤと共に前回受け取った前記経過時間及び前記回数を減算する。そして、制御部１０は、当該減算した結果の時間及び回数を、試験進捗テーブル（図７）において、当該受け取った試験器ＩＤを含む試験情報と対応付けられている試験進捗情報のうちの終了日時が記憶されていない対象試験進捗情報に含まれる、残り時間及び残サイクルから減算することで、試験進捗情報を最新の情報に更新する。
【０１５３】
尚、制御部１０は、当該減算の結果が負の値になる場合には、対象試験進捗情報に含まれる、残り時間及び残サイクルを０に更新するとともに、対象試験進捗情報に含まれる終了日時及びステータスに、現在日時及び試験終了を示す情報を記憶する。
【０１５４】
上記構成によれば、対象試験器によって試料７に対する試験の実行が開始された後、対象試験槽に配置された全ての試料７の夫々に対する試験の進捗状況がスクリーン４３の表示領域に表示される。このため、作業者は、対象試験槽内に配置された全ての試料７の夫々に対する試験の進捗状況を容易に把握することができる。
【０１５５】
また、ステップＳ２０３の実行後、制御部１０は、定期的に又は不定期に、記憶部１４において対象試験器の試験器ＩＤと対応付けられている運転情報を最新の情報に更新する（ステップＳ２０５）。
【０１５６】
具体的には、対象試験器Ｔ５は、定期的に又は不定期に、対象試験器Ｔ５の試験器ＩＤと、運転情報に対応する情報と、運転情報を最新の情報に更新する指示と、をサーバ１に送信する。運転情報に対応する情報とは、試験器モニタテーブル（図９）に記憶される運転情報に含まれる、運転状態、運転パターンＩＤ、運転パターン名、警報、インフォメーション、サイクル、高温槽温度、テストエリア温度及び低温槽温度を含む情報である。
【０１５７】
サーバ１において、制御部１０は、通信部１１によって受信された試験器ＩＤ、運転情報に対応する情報及び運転情報を最新の情報に更新する指示を受け取る度に、試験器モニタテーブル（図９）において、当該受け取った試験器ＩＤに対応付けられている運転情報を、当該受け取った運転情報に対応する情報によって更新する。
【０１５８】
ステップＳ２０５の実行後、制御部４０は、ステップＳ１０３と同様に、対象試験器の試験器ＩＤを示す試験器マーカＤ５がカメラ４１の撮影画像に含まれているか否かを判定する（ステップＳ２０６）。
【０１５９】
図１８は、運転関連情報Ｒ１３、試験関連情報Ｒ１１及び試験器関連情報Ｒ１４の表示例を示す図である。例えば、図１８のセクション（Ａ）に示すように、作業者が、ステップＳ２０２において対象試験器Ｔ５の試験を開始した後、試験器マーカＤ５が貼付されている方向に向いた結果、カメラ４１の撮影画像に対象試験器Ｔ５の試験器ＩＤを示す試験器マーカＤ５が含まれたとする。この場合、制御部４０は、ステップＳ２０６において、対象試験器Ｔ５の試験器ＩＤを示す試験器マーカＤ５が、カメラ４１の撮影画像に含まれていると判定する（ステップＳ２０６でＹＥＳ）。
【０１６０】
この場合、制御部４０は、例えば図１８のセクション（Ｂ）に示すように、記憶部１４において対象試験器の試験器ＩＤと対応付けられている運転関連情報Ｒ１３を、スクリーン４３の表示領域に表示する（ステップＳ２０７）。
【０１６１】
具体的には、ステップＳ２０７において、制御部４０は、カメラ４１の撮影画像に含まれていると判断された試験器マーカＤ５に対応する対象試験器Ｔ５の試験器ＩＤと共に、記憶部１４において当該試験器ＩＤと対応付けられている運転関連情報Ｒ１３の送信を要求する指示を、通信部４５を介してサーバ１に送信する。
【０１６２】
サーバ１において、制御部１０は、通信部１１によって受信された試験器ＩＤ及び運転関連情報Ｒ１３の送信を要求する指示を受け取ると、当該指示に従って、記憶部１４から、当該受け取った試験器ＩＤに対応付けられている運転関連情報Ｒ１３を取得する。そして、制御部１０は、当該取得した運転関連情報Ｒ１３を、通信部１１を介して返信する。制御部４０は、通信部４５によって受信された運転関連情報Ｒ１３を受け取ると、当該受け取った運転関連情報Ｒ１３をスクリーン４３の表示領域に表示する。
【０１６３】
スクリーン４３に表示される運転関連情報Ｒ１３には、例えば、図１８のセクション（Ｂ）に示すように、対象試験器の名称（例：「冷熱衝撃装置  Ｃ−１１」）、対象試験器の運転パターン（例：「試験パターン１」）、対象試験器の運転状態（例：「停止中」）、前記サイクル情報（例：「４５６／１０００回」）、対象試験器において報知された警報の件数（例：「０件」）及び対象試験器において報知されたインフォメーションの件数（例：「４件」）が含まれる。
【０１６４】
更に、スクリーン４３に表示される運転関連情報Ｒ１３には、例えば、図１８のセクション（Ｂ）に示すように、対象試験槽内の環境の調整に用いられる高温槽内の温度の設定値に関する情報（例：「＋１７５℃」、「手動」）及び測定値（例：「＋１７５℃」）が含まれる。また、当該運転関連情報Ｒ１３には、対象試験槽内の温度を示すテストエリアの温度の設定値に関する情報（例：高温さらし「＋１５０℃  ０：３０」、常温さらし「０：０５」）、低温さらし「−６５℃  ０：３０」）及び測定値（例：「＋４４℃」）が含まれる。
【０１６５】
制御部１０は、運転関連情報Ｒ１３に含まれる各情報を以下のようにして取得する。制御部１０は、試験器テーブル（図３）において、通信部１１によって受信された対象試験器の試験器ＩＤに対応付けられている試験器名を、運転関連情報Ｒ１３に含まれる対象試験器の名称として取得する。
【０１６６】
制御部１０は、試験器モニタテーブル（図９）において、通信部１１によって受信された対象試験器の試験器ＩＤに対応付けられている運転情報のうち、運転パターン名、運転状態、警報情報、インフォメーション情報、サイクル情報、高温槽温度情報、テストエリア温度及び低温槽温度情報を、運転関連情報Ｒ１３に含まれる運転パターン、運転状態、警報の件数、インフォメーションの件数、サイクル情報、高温槽の温度の測定値、テストエリアの温度の測定値及び低温槽の温度の測定値として取得する。
【０１６７】
また、制御部１０は、試験パターンテーブル（図５）において、通信部１１によって受信された対象試験器の試験器ＩＤ（例：「１１１」）に対応付けられている試験パターン情報に含まれる設定内容を参照する。そして、制御部１０は、当該参照した設定内容に含まれる高温槽内の温度の設定値に関する情報（例：「高温槽（１７５℃、手動）」）、テストエリア内の温度の設定値に関する情報（例：「高温さらし（１５０℃，０：３０）、常温さらし（０：０５）、低温さらし（−６５℃，０：３０）」）、及び低温槽内の温度の設定値に関する情報（例：「低温槽（−７５℃、手動）」）を、運転関連情報Ｒ１３に含まれる、高温槽の温度、テストエリアの温度及び低温槽の温度の設定値に関する情報として取得する。
【０１６８】
上記構成によれば、対象試験槽内に配置された試料７に対する試験の開始後、対象試験器の試験器ＩＤを示す試験器マーカＤ５がカメラ４１の撮影画像に含まれるようになった場合、当該対象試験器の運転状態を示す運転情報がスクリーン４３の表示領域に表示される。このため、作業者は、対象試験器の運転状態を容易に把握することができる。
【０１６９】
ステップＳ２０７の実行後、制御部４０は、例えば図１８のセクション（Ｂ）に示すように、ステップＳ２０３と同様に、記憶部１４において対象試験器の試験器ＩＤと対応付けられている試験関連情報Ｒ１１をスクリーン４３の表示領域に表示する（ステップＳ２０８）。
【０１７０】
また、制御部４０は、例えば図１８のセクション（Ｂ）に示すように、記憶部１４において対象試験器の試験器ＩＤと対応付けられている試験器関連情報Ｒ１４をスクリーン４３の表示領域に表示する（ステップＳ２０９）。
【０１７１】
具体的には、ステップＳ２０９において、制御部４０は、カメラ４１の撮影画像に含まれていると判断された試験器マーカＤ５に対応する対象試験器Ｔ５の試験器ＩＤと共に、記憶部１４において当該試験器ＩＤと対応付けられている試験器関連情報Ｒ１４の送信を要求する指示を、通信部４５を介してサーバ１に送信する。
【０１７２】
サーバ１において、制御部１０は、通信部１１によって受信された試験器ＩＤ及び試験器関連情報Ｒ１４の送信を要求する指示を受け取ると、当該指示に従って、記憶部１４から、当該受け取った試験器ＩＤに対応付けられている試験器関連情報Ｒ１４を取得する。そして、制御部１０は、当該取得した試験器関連情報Ｒ１４を、通信部１１を介して返信する。制御部４０は、通信部４５によって受信された試験器関連情報Ｒ１４を受け取ると、当該受け取った試験器関連情報Ｒ１４をスクリーン４３の表示領域に表示する。
【０１７３】
スクリーン４３に表示される試験器関連情報Ｒ１４には、例えば、図１８のセクション（Ｂ）に示すように、対象試験槽の槽内配置図が含まれる。具体的には、制御部１０は、試験器テーブル（図３）において、通信部１１によって受信された対象試験器の試験器ＩＤに対応付けられている槽内配置図の画像データを、試験器関連情報Ｒ１４に含まれる対象試験槽の槽内配置図の画像データとして取得する。
【０１７４】
図１９は、選択された試験の試験情報の表示例を示す図である。ステップＳ２０９の実行後、図１９のセクション（Ａ）に示すように、作業者による操作部４４の操作によって、ステップＳ２０８でスクリーン４３の表示領域に表示されている試験関連情報Ｒ１１の中から、例えばカーソルＣＵＲによって指示された一の試料７に対応する情報（例：配置エリア「Ｃ」、試料Ｎｏ「３５８Ｄ−４４５８７５２６９」、残時間「４６：５４」、残サイクル「１１２」）を選択する操作が行われたとする（ステップＳ２１０でＹＥＳ）。
【０１７５】
この場合、制御部４０は、図１９のセクション（Ｂ）に示すように、記憶部１４において対象試験器の試験器ＩＤと対応付けられている試験情報（図７）に含まれる前記選択された一の試料７に対応する情報を含んだ詳細試験情報Ｒ１５を、スクリーン４３の表示領域に表示する（ステップＳ２１１）。
【０１７６】
具体的には、ステップＳ２１１において、制御部４０は、カメラ４１の撮影画像に含まれていると判断された試験器マーカＤ５に対応する対象試験器Ｔ５の試験器ＩＤ及びステップＳ２１０で選択された一の試料７に対応する情報に含まれる試料Ｎｏが示す当該一の試料７の試料ＩＤを、通信部４５を介してサーバ１に送信する。更に、制御部４０は、記憶部１４において前記送信した試験器ＩＤと対応付けられている試験情報（図７）に含まれる前記送信された試料ＩＤに対応する情報を含んだ詳細試験情報Ｒ１５の送信を要求する指示を、通信部４５を介してサーバ１に送信する。
【０１７７】
サーバ１において、制御部１０は、通信部１１によって受信された試験器ＩＤ、試料ＩＤ及び前記詳細試験情報Ｒ１５の送信を要求する指示を受け取ると、当該指示に従って、記憶部１４において当該受け取った試験器ＩＤに対応付けられている試験情報を取得する。そして、制御部１０は、当該取得した試験情報に含まれる前記受け取った試料ＩＤに対応する情報と、記憶部１４において当該受け取った試験器ＩＤ及び試料ＩＤに対応付けられている情報と、を含んだ詳細試験情報Ｒ１５を、通信部１１を介して返信する。制御部４０は、通信部４５によって受信された詳細試験情報Ｒ１５を受け取ると、当該受け取った詳細試験情報Ｒ１５をスクリーン４３の表示領域に表示する。
【０１７８】
スクリーン４３に表示される詳細試験情報Ｒ１５には、例えば、図１９のセクション（Ｂ）に示すように、前記一の試料７の画像、前記一の試料７に対する試験の開始時間（例：「２０１８−０５−３０  １３：００」）、前記一の試料７に対する試験の試験時間（例：７６：４５）、前記一の試料７に対する試験の終了予定時間（例：「２０１８−０６−０２  １７：４５」、前記一の試料７に対する試験の試験条件のパターン名（例：「試験パターン１」）、前記一の試料７に対する試験の依頼者（例：「基盤開発部  ○○  △△」）が含まれる。
【０１７９】
制御部１０は、詳細試験情報Ｒ１５に含まれる各情報を以下のようにして取得する。制御部１０は、試料テーブル（図６）において、通信部１１によって受信された試料ＩＤ（例：「３５８Ｄ−４４５８７５２６９」）と対応付けられている試料情報に含まれている試料７の画像データ及び試料登録者（例：「基盤開発部  ○○  △△」）を、詳細試験情報Ｒ１５に含まれる前記一の試料７の画像の画像データ及び前記一の試料７に対する試験の依頼者として取得する。
【０１８０】
制御部１０は、試験テーブル（図７）において、通信部１１によって受信された試験器ＩＤ（例：「１１１」）及び試料ＩＤ（例：「３５８Ｄ−４４５８７５２６９」）を含む試験情報と対応付けられた試験進捗情報のうち、終了日時が記憶されていない試験進捗情報に含まれる開始日時（例：「２０１８−０５−３０  １３：００」）を、詳細試験情報Ｒ１５に含まれる前記一の試料７に対する試験の開始時間として取得する。
【０１８１】
制御部１０は、試験テーブル（図７）において、通信部１１によって受信された試験器ＩＤ（例：「１１１」）を含む試験情報のうち、終了日時が記憶されていない試験進捗情報と対応付けられている試験情報を候補試験情報として参照する。そして、制御部１０は、当該参照した候補試験情報のうち、通信部１１によって受信された試料ＩＤ（例：「３５８Ｄ−４４５８７５２６９」）を含む試験情報を対象試験情報として参照する。そして、制御部１０は、当該参照した対象試験情報に含まれる終了予定日時（例：「２０１８−０６−０２  １７：４５」）及び試験パターンＩＤ（例：「１２」）を取得する。制御部１０は、当該取得した終了予定日時を、詳細試験情報Ｒ１５に含まれる前記一の試料７に対する試験の終了予定時間とする。
【０１８２】
また、制御部１０は、試験パターンテーブル（図５）において、通信部１１によって受信された試験器ＩＤ（例：「１１１」）に対応付けられている試験パターン情報のうち、前記取得した試験パターンＩＤ（例：「１２」）を含む試験パターン情報を参照する。そして、制御部１０は、当該参照した試験パターン情報に含まれる試験パターン名（例：「試験パターン１」）を、詳細試験情報Ｒ１５に含まれる試験条件のパターン名として取得する。また、制御部１０は、当該参照した試験パターン情報に含まれる設定内容を参照し、当該参照した設定内容に含まれる試験時間（例：「７６：４５」）を、詳細試験情報Ｒ１５に含まれる試験時間として取得する。
【０１８３】
上記構成によれば、作業者は、スクリーン４３の表示領域に表示されている試験関連情報Ｒ１１の中から、各試料に対する情報の選択操作を行うことで、各試料に対する試験に関する情報を個別に把握することができる。
【０１８４】
図２０は、試験終了時の試験作業支援システム１００の動作の一例を示すフローチャートである。ステップＳ２０６において、対象試験器の試験器ＩＤを示す試験器マーカＤ５がカメラ４１の撮影画像に含まれていないと判定した場合（ステップＳ２０６でＮＯ）、ステップＳ２１０において試験関連情報Ｒ１１の中から、一の試料７に対応する情報を選択する操作が行われなかった場合（ステップＳ２１０でＮＯ）、及び、ステップＳ２１１が実行された場合、図２０に示すように、制御部４０は、対象試験器において全ての試験が終了しているか否かを判定する（ステップＳ３００）。
【０１８５】
具体的には、ステップＳ３００において、制御部４０は、カメラ４１の撮影画像に含まれていると判断された試験器マーカＤ５に対応する対象試験器Ｔ５の試験器ＩＤと共に、対象試験器における全ての試験が終了しているか否かの判定を要求する指示を、通信部４５を介してサーバ１に送信する。
【０１８６】
これに応じて、サーバ１において、制御部１０が、通信部１１によって受信された試験器ＩＤ及び対象試験器における全ての試験が終了しているか否かの判定を要求する指示を受け取ったとする。この場合、制御部１０は、試験進捗テーブル（図７）において、当該受け取った試験器ＩＤを含む試験情報と対応付けられている試験進捗情報のうち、終了日時が記憶されていない試験進捗情報又はステータスが試験中を示す試験進捗情報が含まれているか否かを判定する。制御部１０は、前記判定の結果、含まれていないと判定した場合、対象試験器において全ての試験が終了していると判定し、含まれていると判定した場合、対象試験器において終了していない試験があると判定する。
【０１８７】
そして、制御部１０は、上記の判定結果を、通信部１１を介して返信する。制御部４０は、通信部４５によって受信された上記の判定結果を受け取る。制御部４０は、前記受け取った判定結果が、対象試験器において終了していない試験があることを示す場合、対象試験器において終了していない試験があると判定する（ステップＳ３００でＮＯ）。その後、ステップＳ２０４以降の処理が行われる。一方、当該受け取った判定結果が対象試験器において全ての試験が終了していることを示すものである場合、制御部４０は、対象試験器において全ての試験が終了していると判定する（ステップＳ３００でＹＥＳ）。
【０１８８】
この場合（ステップＳ３００でＹＥＳ）、制御部４０は、試料７を対象試験槽から取り出すように案内するメッセージ（例：「試験が終了したので試料を取り出してください。」）をスクリーン４３の表示領域に表示する（ステップＳ３０１）。
【０１８９】
次に、制御部４０は、ステップＳ１０５（図１１）と同様、公知の画像認識処理を実行することにより、対象試験槽の試験槽ＩＤを示す試験槽マーカＤ５２（図１４参照）が、カメラ４１の撮影画像に含まれているか否かを判定する（ステップＳ３０２）。
【０１９０】
制御部４０は、ステップＳ３０２において、対象試験槽の試験槽ＩＤを示す試験槽マーカＤ５２がカメラ４１の撮影画像に含まれていると判定した場合（ステップＳ３０２でＹＥＳ）、開閉扉５１が開かれた状態になったものとして、公知の画像認識処理を実行することにより、対象試験槽内に試料７が存在しないか否かを判定する（ステップＳ３０３）。これにより、制御部４０は、対象試験槽内に配置されていた試料７が全て取り出されたか否かを判定する。
【０１９１】
一方、制御部４０は、ステップＳ３０２において、対象試験槽の試験槽ＩＤを示す試験槽マーカＤ５２がカメラ４１の撮影画像に含まれていないと判定した場合（ステップＳ３０２でＮＯ）、開閉扉５１が閉じている状態であるものとして、ステップＳ３０１以降の処理を行う。
【０１９２】
制御部４０は、ステップＳ３０３において、対象試験槽内に試料７が存在しないと判定した場合（ステップＳ３０３でＹＥＳ）、ステップＳ３０２と同様、公知の画像認識処理を実行することにより、対象試験槽の試験槽ＩＤを示す試験槽マーカＤ５２（図１４参照）が、カメラ４１の撮影画像に含まれているか否かを判定する（ステップＳ３０４）。一方、制御部４０は、ステップＳ３０３において、対象試験槽内に試料７が存在すると判定した場合（ステップＳ３０３でＮＯ）、ステップＳ３０２以降の処理を行う。
【０１９３】
制御部４０は、ステップＳ３０４において、試験槽マーカＤ５２がカメラ４１の撮影画像に含まれていないと判定した場合（ステップＳ３０４でＮＯ）、対象試験槽から全ての試料７が取り出された後、開閉扉５１が閉じられたものとして、処理を終了する。一方、制御部４０は、ステップＳ３０４において、試験槽マーカＤ５２がカメラ４１の撮影画像に含まれていると判定した場合（ステップＳ３０４でＹＥＳ）、開閉扉５１が開かれた状態のままであるものとして、ステップＳ３０３以降の処理を行う。
【０１９４】
（変形実施形態）
尚、上記の実施形態は、本発明に係る実施形態の例示に過ぎず、本発明を上記の実施形態に限定する趣旨ではない。例えば、以下に示す変形実施形態であってもよい。
【０１９５】
（１）上記の実施形態の試験作業支援システム１００では、対象試験槽内の全ての試料７に対する試験の終了後に試料７の取り出しを案内していた。しかし、以下に示すように、対象試験器において全ての試験が終了していなくても、試験が終了した試料７から、試料７の取り出しを案内するように試験作業支援システム１００を構成してもよい。
【０１９６】
図２１は、試験終了時の試験作業支援システム１００の動作の変形例を示すフローチャートである。具体的には、ステップＳ２０６（図１６）において、対象試験器の試験器ＩＤを示す試験器マーカＤ５がカメラ４１の撮影画像に含まれていないと判定した場合（ステップＳ２０６でＮＯ）、ステップＳ２１０において試験関連情報Ｒ１１の中から、一の試料７に対応する情報を選択する操作が行われなかった場合（ステップＳ２１０でＮＯ）、及び、ステップＳ２１１が実行された場合に、制御部４０が、図２１に示すステップＳ４００以降の処理を行うようにしてもよい。
【０１９７】
図２１に示すように、ステップＳ４００では、制御部４０は、対象試験器において終了している試験があるか否かを判定する（ステップＳ４００）。具体的には、ステップＳ４００において、制御部４０は、カメラ４１の撮影画像に含まれていると判断された試験器マーカＤ５に対応する対象試験器Ｔ５の試験器ＩＤと共に、対象試験器において終了している試験があるか否かの判定を要求する指示（以降、判定要求指示）を、通信部４５を介してサーバ１に送信する。
【０１９８】
サーバ１において、制御部１０は、通信部１１によって受信された試験器ＩＤ及び前記判定要求指示を受け取ったとする。この場合、制御部１０は、試験進捗テーブル（図７）において、当該受け取った試験器ＩＤを含む試験情報と対応付けられている試験進捗情報のうち、終了日時が記憶され且つステータスが試験終了を示す試験進捗情報（以降、終了試験情報）が含まれているか否かを判定する。
【０１９９】
制御部１０は、終了試験情報が含まれていると判定した場合、試験進捗テーブル（図７）において、当該終了試験情報と対応付けられている試験情報に含まれる試料ＩＤを取得する。また、制御部１０は、試料テーブル（図６）において、当該取得した試料ＩＤに対応付けられている試料情報を取得するとともに、試料配置テーブル（図８）において、当該取得した試料ＩＤに対応付けられている配置関連情報を取得する。また、制御部１０は、試験器テーブル（図３）において、通信部１１によって受信された試験器ＩＤに対応付けられている試験器情報を取得する。
【０２００】
そして、制御部１０は、上記取得した試料ＩＤ、試料情報、配置関連情報及び試験器情報と共に、対象試験器において終了している試験があることを示す判定結果を、通信部１１を介して返信する。
【０２０１】
制御部４０は、通信部４５を介して受け取った判定結果が、対象試験器において終了している試験がないことを示す場合、対象試験器において終了している試験がないと判定する（ステップＳ４００でＮＯ）。この場合、ステップＳ２０４（図１６）以降の処理が行われる。
【０２０２】
一方、制御部４０は、通信部４５を介して受け取った判定結果が、対象試験器において終了している試験があることを示す場合、対象試験器において終了している試験があると判定する（ステップＳ４００でＹＥＳ）。この場合、制御部４０は、通信部４５を介して上記判定結果と共に受け取った試料ＩＤに対応する試料７（以降、対象試料）に対する試験が終了したものとして、対象試料を対象試験槽から取り出すように案内する情報をスクリーン４３の表示領域に表示する（ステップＳ４０１）。
【０２０３】
尚、ステップＳ４０１で表示される情報には、例えば、制御部４０がステップＳ４００で上記判定結果と共に受け取った試料ＩＤ及び試料情報のうちの、少なくとも試料ＩＤ又は試料名（図６）が含まれる。このため、作業者は、ステップＳ４０１で表示されたメッセージに含まれる試料ＩＤ又は試料名に基づき、どの試料７を対象試験槽から取り出すことができるかを把握することができる。
【０２０４】
また、ステップＳ４０１で表示される情報には、制御部４０がステップＳ４００で上記判定結果と共に受け取った配置関連情報及び試験器情報に含まれる、配置エリア及び槽内配置図の画像データが示す槽内配置図が含まれてもよい。この場合、作業者は、表示された配置エリア及び槽内配置図に基づき、対象試験槽内における当該配置エリアが示す領域に配置されている対象試料を適切に取り出すことができる。
【０２０５】
次に、制御部４０は、ステップＳ３０２（図２０）と同様、公知の画像認識処理を実行することにより、対象試験槽の試験槽ＩＤを示す試験槽マーカＤ５２（図１４参照）が、カメラ４１の撮影画像に含まれているか否かを判定する（ステップＳ４０２）。
【０２０６】
制御部４０は、ステップＳ４０２において、対象試験槽の試験槽ＩＤを示す試験槽マーカＤ５２がカメラ４１の撮影画像に含まれていると判定した場合（ステップＳ４０２でＹＥＳ）、作業者が試料７を取り出すために開閉扉５１を開いたものとして、対象試験槽内の試料７の数が減少しているか否かを判定する（ステップＳ４０３）。
【０２０７】
例えば、制御部４０は、ステップＳ４０１の直後に行われたステップＳ４０２において、試験槽マーカＤ５２がカメラ４１の撮影画像に含まれていると判定した場合、当該カメラ４１の撮影画像を初期撮影画像としてメモリに記憶する。制御部４０は、ステップＳ４０３の開始後、所定時間が経過すると、カメラ４１の撮影画像を対象撮影画像としてメモリに記憶する。そして、制御部４０は、公知の画像認識処理を実行することにより、対象撮影画像から認識した試料７の数が、初期撮影画像から認識した試料７の数よりも少ないか否かを判定する。
【０２０８】
制御部４０は、対象撮影画像から認識した試料７の数が初期撮影画像から認識した試料７の数よりも少なくないと判定した場合、対象試験槽内の試料７の数が減少していないと判定する（ステップＳ４０３でＮＯ）。この場合、ステップＳ４０２以降の処理が行われる。一方、制御部４０は、対象撮影画像から認識した試料７の数が、初期撮影画像から認識した試料７の数よりも少ないと判定した場合、対象試験槽内の試料７の数が減少していると判定する（ステップＳ４０３でＹＥＳ）。
【０２０９】
この場合（ステップＳ４０３でＹＥＳ）、制御部４０は、対象試料槽内から取り出された試料７が、試験が終了している対象試料であるか否かを判定する（ステップＳ４０４）。例えば、ステップＳ４０４において、制御部４０は、公知の画像認識処理を実行することにより、ステップＳ４０３で初期撮影画像から認識した試料７のうち、対象撮影画像から認識した試料７とは異なる試料７が初期撮影画像において配置されている領域を、対象試験槽から取り出された試料７が配置されていた領域（以降、取出試料配置領域）として把握する。
【０２１０】
制御部４０は、公知の画像認識処理を実行することにより、初期撮影画像とステップＳ４００で受け取った試験器情報に含まれる画像データが示す槽内配置図とを対比し、当該槽内配置図に含まれる配置エリアのうち、取出試料配置領域に対応する配置エリアを、対象試験槽から取り出された試料７の配置エリアとして把握する。
【０２１１】
制御部４０は、当該把握した配置エリアが、ステップＳ４００で受け取った配置関連情報に含まれる配置エリアと一致しない場合、対象試験槽から取り出された試料７が対象試料ではないと判定する（ステップＳ４０４でＮＯ）。この場合、制御部４０は、誤った試料７を取り出したことを示す警告情報をスクリーン４３の表示領域に表示する（ステップＳ４０８）。その後、ステップＳ４０３以降の処理が行われる。尚、ステップＳ４０８において、制御部４０が、更に、誤った試料７を取り出したことを示す所定の警告音をスピーカ４６に出力させるようにしてもよい。
【０２１２】
一方、制御部４０は、前記把握した配置エリアが、ステップＳ４００で受け取った配置関連情報に含まれる配置エリアと一致する場合、対象試料槽内から取り出された試料７が対象試料であると判定する（ステップＳ４０４でＹＥＳ）。この場合、制御部４０は、ステップＳ４０２と同様、公知の画像認識処理を実行することにより、対象試験槽の試験槽ＩＤを示す試験槽マーカＤ５２（図１４参照）が、カメラ４１の撮影画像に含まれているか否かを判定する（ステップＳ４０５）。
【０２１３】
制御部４０は、ステップＳ４０５において、試験槽マーカＤ５２がカメラ４１の撮影画像に含まれていると判定した場合（ステップＳ４０５でＹＥＳ）、開閉扉５１が開かれた状態のままであるものとして、ステップＳ４０３以降の処理を行う。一方、制御部４０は、ステップＳ４０５において、試験槽マーカＤ５２がカメラ４１の撮影画像に含まれていないと判定した場合（ステップＳ４０５でＮＯ）、対象試料が対象試験槽から取り出された後、開閉扉５１が閉じられたものと判断する。この場合、制御部４０は、ステップＳ３００（図２０）と同様にして、対象試験器において全ての試験が終了しているか否かを判定する（ステップＳ４０６）。
【０２１４】
制御部４０は、ステップＳ４０６において、対象試験器において全ての試験が終了していると判定した場合（ステップＳ４０６でＹＥＳ）、対象試験槽から全ての試料７が取り出されたか否かを判定する（ステップＳ４０７）。具体的には、ステップＳ４０７において、制御部４０は、公知の画像認識処理を行うことにより、ステップＳ４０３でメモリに記憶した対象撮影画像に試料７が一つも含まれていないことを認識した場合、対象試験槽から全ての試料７が取り出されたと判定し、対象撮影画像に一以上の試料７が含まれていることを認識した場合、対象試験槽内に取り出されていない試料７が存在すると判定する。
【０２１５】
ステップＳ４０７において、制御部４０は、対象試験槽から全ての試料７が取り出されたと判定した場合（ステップＳ４０７でＹＥＳ）、対象試験器において全ての試験が終了し、且つ、対象試験槽内の全ての試料７が取り出されたものとして、処理を終了する。
【０２１６】
一方、制御部４０は、ステップＳ４０６において対象試験器において終了していない試験があると判定した場合（ステップＳ４０６でＮＯ）及びステップＳ４０７において対象試験槽内に取り出されていない試料７が存在すると判定した場合（ステップＳ４０７でＮＯ）、処理をステップＳ２０４（図１６）に移行させる。これにより、対象試験器において全ての試験が終了し、且つ、対象試験槽内の全ての試料７が取り出されるまで、処理が継続される。
【０２１７】
なお、試験が終了した試料７を取り出しつつ、新たな試験対象の試料７を試験槽に配置するように構成してもよい。例えば、ステップＳ２０４以降の処理が実行されているときに、記憶部１４に新たな試験対象の試料７に対する試験に対応する上述の情報が追加され、その後、作業者が新たな試料７に視線を向けたことにより、カメラ４１の撮影画像に、新たな試料７の識別ＩＤを示す試料マーカＤ７が含まれたとする。この場合、ステップＳ２０４以降の処理のうちの実行中の処理を中断し、ステップＳ１０２（図１１）以降の処理が行われるようにしてもよい。
【０２１８】
（２）スマートグラス４に代えて、カメラ４１、マイク４２、スクリーン４３、スピーカ４６、操作部４４、通信部４５及び制御部４０と同様のカメラ、マイク、液晶ディスプレイ等の表示装置、スピーカ、操作部、通信部及び制御部を備えた、例えばスマートフォンやタブレット端末の携帯端末装置を用いてもよい。この場合、当該携帯端末装置の制御部が、カメラの撮影画像を背景画像として、表示装置の表示領域に表示するようにすればよい。
【０２１９】
この場合、ステップＳ１０６（図１１）において、前記携帯端末装置の前記表示装置に表示された背景画像に含まれる配置エリアが示す領域が強調して表示される。このため、当該作業者は、試験槽への試料７の配置経験が未熟であっても、前記表示装置において強調して表示されている領域に基づき、対象試験槽内における配置エリアが示す領域に試料７を容易に配置することができる。
【０２２０】
（３）ステップＳ１０８（図１１）の後、作業者による操作部４４の操作によって、試料７の配置に関連する作業の支援を終了する支援終了指示が入力されるまでの間（ステップＳ１１２でＮＯ）、例えばチャット等のように、スマートグラス４と情報処理装置３との間で文字列で通信が行われるようにしてもよい。具体的には、制御部４０及び制御部３０が、スマートグラス４の操作部４４を用いて入力された文字列と情報処理装置３の操作部３４を用いて入力された文字列とをサーバ１を介して互いに送受信し、受信した文字列をスクリーン４３及びディスプレイ３３に表示するようにしてもよい。
【０２２１】
（４）ステップＳ１０５（図１１）において、制御部４０が、対象試験槽の試験槽ＩＤを示す試験槽マーカＤ５２がカメラ４１の撮影画像に含まれているか否かを判定することに代えて、開閉扉５１が開いた状態であるか否かを判定するようにし、開閉扉５１が開いた状態であると判定したときに、ステップＳ１０６を行うようにしてもよい。
【０２２２】
具体的には、制御部４０は、操作部４４を用いて開閉扉５１が開いた状態であることを示す情報が入力された場合に、開閉扉５１が開いた状態であると判定してもよい。又は、制御部４０は、公知の画像認識処理により、カメラ４１の撮影画像と、制御部４０を構成するマイクロコンピュータのメモリ等に予め記憶しておいた開閉扉５１が閉じている状態のときに開閉扉５１をカメラ４１撮影した画像と、を比較した結果から、開閉扉５１が開いた状態であるか否かを判定してもよい。
【０２２３】
又は、対象試験器に開閉扉５１の開閉状態を検知する開閉センサーが備えられている場合、通信部４５を、サーバ１を介して又は直接的に対象試験器と通信可能に構成してもよい。そして、制御部４０が、当該通信部４５を制御して対象試験器との間で通信を行うことで、対象試験器から開閉センサーによる開閉扉５１の開閉状態の検知結果を取得し、当該検知結果に基づき上記判定を行うようにしてもよい。
【０２２４】
これと同様にして、ステップＳ３０２及びステップＳ３０４（図２０）においても、制御部４０が、対象試験槽の試験槽ＩＤを示す試験槽マーカＤ５２がカメラ４１の撮影画像に含まれているか否かを判定することに代えて、開閉扉５１が開いた状態であるか否かを判定するようにしてもよい。
【０２２５】
（５）ステップＳ２１０及びステップＳ２１１（図１６）を省略してもよい。更に、ステップＳ２０５及びステップＳ２０７（図１６）を省略してもよい。更に、試験作業支援システム１００が、図１６に示す動作を行わない構成であってもよい。
【０２２６】
（６）ステップＳ１１０及びステップＳ１１１（図１１）を省略してもよい。更に、ステップＳ１０７からステップＳ１１２（図１１）、マイク３２、４２、及び、スピーカ３６、４６を省略してもよい。更に、ステップＳ１０５及びステップＳ１０６（図１１）を省略してもよい。
【０２２７】
更に、試験作業支援システム１００が備える試験器５が一台の場合、更にステップＳ１０３及びステップＳ１０４（図１１）を省略し、ステップＳ１０２（図１１）において、制御部１０が、試料関連情報に、試料配置テーブル（図８）に記憶されている配置関連情報から取得した配置エリアだけを含めるようにしてもよい。そして、ステップＳ１０２において、制御部４０が、試料関連情報の一部Ｒ７に、当該試料関連情報に含まれる配置エリアだけを含めるようにしてもよい。この場合、作業者は、試験の経験が未熟であっても、スクリーン４３の表示領域に表示された試料関連情報の一部Ｒ７に含まれる配置エリアに基づき、対象試験器の試験槽内の所定の領域に適切に試料を配置することができる。
【０２２８】
（７）試験作業支援システム１００がサーバ１を備えないように構成してもよい。そして、情報処理装置３の制御部３０が、スマートグラス４が備えるカメラ４１の撮影画像を通信部３５を介して取得するように構成してもよい。そして、例えば、制御部３０を構成するマイクロコンピュータのメモリ等、情報処理装置３に備えられた記憶部に、記憶部１４と同様の情報を記憶するように構成してもよい。そして、通信部３５及び制御部３０が、サーバ１の通信部１１及び制御部４０と同様に機能するように構成してもよい。
【０２２９】
これにより、制御部３０を、試料７の識別子を示す試料マーカＤ７がカメラ４１の撮影画像に含まれている場合、情報処理装置３に備えられた記憶部に記憶されている、試料７の試料ＩＤと前記試料７に対する試験を行う対象試験器が備える対象試験槽への前記試料７の配置に関する配置関連情報とを予め対応付けた情報において、前記試料マーカＤ７が示す試料ＩＤに対応付けられている前記配置関連情報を、スクリーン４３の表示領域に表示させるように機能させてもよい。
【０２３０】
この場合、作業者が前記スマートグラス４を使用しているときに、試料７の試料ＩＤを示す試料マーカＤ７がカメラ４１の撮影画像に含まれるようになると、スマートグラス４が備えるスクリーン４３の表示領域に、試験槽への試料Ｄ７の配置に関する配置関連情報が表示される。このため、作業者は、試験の経験が未熟であっても、配置関連情報に基づき、試料７を試験槽に適切に配置することができる。
【符号の説明】
【０２３１】
１  サーバ
３  情報処理装置
４  スマートグラス（携帯端末）
５  試験器
７  試料
１０  制御部（試験制御部）
１１  通信部
１４  記憶部
３０  制御部
３２  マイク
３３  ディスプレイ（遠隔表示部）
３４  操作部（遠隔操作部）
３５  通信部（遠隔通信部）
３６  スピーカ
４０  制御部（試験制御部）
４１  カメラ
４２  マイク
４３  スクリーン（表示部）
４４  操作部
４５  通信部
４６  スピーカ
５１  開閉扉
１００  試験作業支援システム
Ｄ３０  描画画像
Ｄ５  試験器マーカ（試験器識別情報）
Ｄ５２  試験槽マーカ（試験槽識別情報）
Ｄ７  試料マーカ（試料識別情報）
Ｒ５  試験器情報
Ｒ７  試料関連情報
Ｒ１１  試験関連情報
Ｒ１３  運転関連情報
Ｒ１４  試験器関連情報
Ｒ１５  詳細試験情報
Ｔ５  対象試験器 
【図１】
2020038463.tif 000003
【図２】
2020038463.tif 000004
【図３】
2020038463.tif 000005
【図４】
2020038463.tif 000006
【図５】
2020038463.tif 000007
【図６】
2020038463.tif 000008
【図７】
2020038463.tif 000009
【図８】
2020038463.tif 000010
【図９】
2020038463.tif 000011
【図１０】
2020038463.tif 000012
【図１１】
2020038463.tif 000013
【図１２】
2020038463.tif 000014
【図１３】
2020038463.tif 000015
【図１４】
2020038463.tif 000016
【図１５】
2020038463.tif 000017
【図１６】
2020038463.tif 000018
【図１７】
2020038463.tif 000019
【図１８】
2020038463.tif 000020
【図１９】
2020038463.tif 000021
【図２０】
2020038463.tif 000022
【図２１】
2020038463.tif 000023